(57)【特許請求の範囲】
【請求項１】
各々に割り当てられた発信情報を発信する複数の発信機と；
前記複数の発信機から発信される前記発信情報を受信する携帯端末と；
所定のシステムが管理する対象を識別する識別情報と前記発信情報とを関連付けることにより、前記携帯端末から前記発信情報を受信した場合、受信した発信情報に関連する前記識別情報により識別される前記対象に関する処理を、前記所定のシステムに指示するサーバと；
を具備し、
前記所定のシステムは、前記識別情報により識別される複数のコンテンツを管理するコンテンツ配信システムであり、
前記携帯端末は、
前記発信機から受信した発信情報が所定の条件を満たす場合、前記受信した発信情報と前記携帯端末を識別する情報とを前記サーバへ送信し、
前記サーバは、
前記携帯端末から前記発信機の発信情報と前記携帯端末を識別する情報とを受信した場合、受信した発信情報に関連する前記識別情報により識別されるコンテンツの配信を前記コンテンツ配信システムに指示し、
前記発信機は、
前記発信情報を変更する指示を受信した場合、前記発信情報を新たな発信情報に変更し、
前記携帯端末は、
前記発信機から受信した前記新たな発信情報が所定の条件を満たす場合、前記新たな発信情報と前記携帯端末を識別する情報とを前記サーバへ送信し、
前記サーバは、
前記携帯端末から前記新たな発信情報と前記携帯端末を識別する情報とを受信した場合、受信した前記新たな発信情報に関連する前記識別情報により識別されるコンテンツの配信を前記コンテンツ配信システムに指示する発信情報活用システム。
【請求項２】
前記発信機は、
複数の発信情報が割り当てられ、前記複数の発信情報の各々を所定のタイミングで発信し、
前記携帯端末は、
前記発信機から受信した発信情報が所定の条件を満たす場合、前記発信情報と前記携帯端末を識別する情報とを前記サーバへ送信する
ことを特徴とする請求項１に記載の発信情報活用システム。
【請求項３】
各々に割り当てられた発信情報を発信する複数の発信機と；
前記複数の発信機から発信される前記発信情報を受信する携帯端末と；
所定のシステムが管理する対象を識別する識別情報と前記発信情報とを関連付けることにより、前記携帯端末から前記発信情報を受信した場合、受信した発信情報に関連する前記識別情報により識別される前記対象に関する処理を、前記所定のシステムに指示するサーバと；
を具備し、
前記携帯端末は、
前記発信情報とともに前記携帯端末を所有するユーザの属性情報を前記サーバへ送信し、
前記サーバは、
前記携帯端末から受信した前記発信情報と前記携帯端末を所有するユーザの属性情報に基づいて、前記複数の発信機が設置された範囲における前記ユーザの属性情報に関する人の分布に関する情報を表示させる発信情報活用システム。
【請求項４】
前記サーバは、
前記携帯端末から受信した前記発信情報に基づいて、受信した前記発信情報の数が閾値未満であるエリアを所定の手段により通知する
ことを特徴とする請求項３に記載の発信情報活用システム。 
【発明の詳細な説明】
【技術分野】
【０００１】
本発明の実施形態は、発信情報活用システムに関する。
【背景技術】
【０００２】
従来、例えばビーコンなどの発信機から発信される発信情報に基づいて、ユーザに種々のサービスを提供する技術が知られている。
【先行技術文献】
【特許文献】
【０００３】
【特許文献１】特開２０１１−１２４９６８号公報
【発明の概要】
【発明が解決しようとする課題】
【０００４】
しかしながら、上述のような技術においては、他のシステムと適切に関連付けることが難しいといった課題がある。
【０００５】
本発明は、他のシステムと適切に関連付けることができる発信情報活用システムを提供することを目的とする。
【課題を解決するための手段】
【０００６】
本実施形態の発信情報活用システムは、複数の発信機と、携帯端末と、サーバとを具備する。複数の発信機は、各々に割り当てられた発信情報を発信する。携帯端末は、複数の発信機から発信される発信情報を受信する。サーバは、所定のシステムが管理する対象を識別する識別情報と発信情報とを関連付けることにより、携帯端末から発信情報を受信した場合、受信した発信情報に関連する識別情報により識別される対象に関する処理を、所定のシステムに指示する。所定のシステムは、識別情報により識別される複数のコンテンツを管理するコンテンツ配信システムである。携帯端末は、発信機から受信した発信情報が所定の条件を満たす場合、受信した発信情報と携帯端末を識別する情報とをサーバへ送信する。サーバは、携帯端末から発信機の発信情報と携帯端末を識別する情報とを受信した場合、受信した発信情報に関連する識別情報により識別されるコンテンツの配信をコンテンツ配信システムに指示する。発信機は、発信情報を変更する指示を受信した場合、発信情報を新たな発信情報に変更する。携帯端末は、発信機から受信した新たな発信情報が所定の条件を満たす場合、新たな発信情報と携帯端末を識別する情報とをサーバへ送信する。サーバは、携帯端末から新たな発信情報と携帯端末を識別する情報とを受信した場合、受信した新たな発信情報に関連する識別情報により識別されるコンテンツの配信をコンテンツ配信システムに指示する。
【発明の効果】
【０００７】
本発明によれば、他のシステムと適切に関連付けることができる。
【図面の簡単な説明】
【０００８】
【図１】図１は、実施形態１に係る発信情報活用システムの概略構成を示す図である。
【図２】図２は、実施形態１に係るサーバの構成を示すブロック図である。
【図３】図３は、実施形態１に係る発信機情報記憶部に記憶される情報の一例を示す図である。
【図４】図４は、実施形態１に係る携帯端末の構成を示すブロック図である。
【図５】図５は、実施形態１に係る発信機の構成を示すブロック図である。
【図６】図６は、実施形態１に係る発信情報活用システムにおける発信情報活用処理の手順を示すシーケンス図である。
【図７】図７は、変形例１−２に係る発信機情報記憶部に記憶される情報の一例を示す図である。
【図８】図８は、変形例１−３に係る発信機情報記憶部に記憶される情報の一例を示す図である。
【図９】図９は、変形例１−４に係る発信機情報記憶部に記憶される情報の一例を示す図である。
【図１０】図１０は、変形例１−５に係る照明制御を示す概要図である。
【図１１】図１１は、変形例１−５に係る携帯端末の画面表示例を示す図である。
【図１２】図１２は、実施形態２に係る発信情報活用システムの概略構成を示す図である。
【図１３】図１３は、実施形態２に係るサーバの構成を示すブロック図である。
【図１４】図１４は、実施形態２に係る発信機情報記憶部に記憶される情報の一例を示す図である。
【図１５】図１５は、実施形態２に係る席情報記憶部に記憶される情報の一例を示す図である。
【図１６】図１６は、実施形態２に係る席情報記憶部に記憶される情報の一例を示す図である。
【図１７】図１７は、実施形態２に係る席情報記憶部に記憶される情報の一例を示す図である。
【図１８】図１８は、実施形態２に係る発信情報活用システムにおける発信情報活用処理の手順を示すシーケンス図である。
【図１９】図１９は、変形例２−１に係る照明制御を示す概要図である。
【図２０】図２０は、変形例２−１に係る携帯端末の画面表示例を示す図である。
【図２１】図２１は、実施形態３に係る発信情報活用システムの概略構成を示す図である。
【図２２】図２２は、実施形態３に係るサーバの構成を示すブロック図である。
【図２３】図２３は、実施形態３に係る発信機情報記憶部に記憶される情報の一例を示す図である。
【図２４】図２４は、実施形態３に係る照明設定記憶部に記憶される情報の一例を示す図である。
【図２５】図２５は、実施形態３に係る発信機の構成を示すブロック図である。
【図２６】図２６は、実施形態３に係る発信機における発信ＩＤの変更の一例を示す図である。
【図２７】図２７は、実施形態３に係る発信情報活用システムにおける発信情報活用処理の手順を示すシーケンス図である。
【図２８】図２８は、実施形態４に係る発信情報活用システムの概略構成を示す図である。
【図２９】図２９は、実施形態４に係るサーバの構成を示すブロック図である。
【図３０】図３０は、実施形態４に係る発信機情報記憶部に記憶される情報の一例を示す図である。
【図３１】図３１は、実施形態４に係るコンテンツ情報記憶部に記憶される情報の一例を示す図である。
【図３２】図３２は、実施形態４に係る発信機情報記憶部に記憶される情報の一例を示す図である。
【図３３】図３３は、実施形態４に係る携帯端末の構成を示すブロック図である。
【図３４】図３４は、実施形態４に係る発信情報活用システムにおける発信情報活用処理の手順を示すシーケンス図である。
【図３５】図３５は、変形例４−１に係る発信機の記憶部に記憶される情報の一例を示す図である。
【図３６】図３６は、変形例４−１に係る携帯端末の発信ＩＤ受信時の処理の一例を示す図である。
【図３７】図３７は、実施形態１〜４に係る表示の一例を示す図である。
【図３８】図３８は、実施形態１〜４に係る照明器具による通知の一例を示す図である。
【図３９】図３９は、実施形態１〜４に係る表示の一例を示す図である。
【発明を実施するための形態】
【０００９】
以下で説明する実施形態１〜４に係る発信情報活用システム１〜４は、各々に割り当てられた発信情報を発信する複数の発信機４０，４０Ａと、複数の発信機４０，４０Ａから発信される発信情報を受信する携帯端末１０，１０Ａと、所定のシステムが管理する対象を識別する識別情報と発信情報とを関連付けることにより、携帯端末１０，１０Ａから発信情報を受信した場合、受信した発信情報に関連する識別情報により識別される対象に関する処理を、前記システムに指示するサーバ１００，１００Ａ〜１００Ｃと、を具備する。
【００１０】
また、以下で説明する実施形態１〜３に係る発信情報活用システム１〜３において、所定のシステムは、識別情報により識別される複数の照明器具５１を管理する照明システム５０，５０Ａ，５０Ｂであり、サーバ１００，１００Ａ，１００Ｂは、携帯端末１０，１０Ａから発信情報を受信した場合、受信した発信情報に関連する識別情報により識別される照明器具５１の制御を照明システム５０，５０Ａ，５０Ｂに指示する。
【００１１】
また、以下で説明する実施形態１〜３に係る発信情報活用システム１〜３において、携帯端末１０，１０Ａは、サーバ１００，１００Ａ，１００Ｂに発信情報を送信する場合、照明器具５１の制御の方法に関する情報をサーバ１００，１００Ａ，１００Ｂに送信し、サーバ１００，１００Ａ，１００Ｂは、携帯端末１０，１０Ａから発信情報と照明器具５１の制御の方法に関する情報とを受信した場合、携帯端末１０，１０Ａから受信した照明器具５１の制御の方法に関する情報に基づいて、受信した発信情報に関連する識別情報により識別される照明器具５１の制御を照明システム５０，５０Ａ，５０Ｂに指示する。
【００１２】
また、以下で説明する実施形態１〜３に係る発信情報活用システム１〜３において、携帯端末１０，１０Ａは、サーバ１００，１００Ａ，１００Ｂに発信情報を送信する場合、照明器具５１の制御の方法に関する情報として携帯端末１０，１０Ａを所有するユーザの属性情報をサーバに送信し、サーバ１００，１００Ａ，１００Ｂは、携帯端末１０，１０Ａから発信情報とユーザの属性情報とを受信した場合、携帯端末１０，１０Ａから受信したユーザの属性情報に基づいて、受信した発信情報に関連する識別情報により識別される照明器具５１の制御を照明システム５０，５０Ａ，５０Ｂに指示する。
【００１３】
また、以下で説明する実施形態１〜３に係る発信情報活用システム１〜３において、サーバ１００，１００Ａ，１００Ｂは、発信情報と識別情報との関連付け毎に制御を行う条件を管理し、携帯端末１０，１０Ａから受信した発信情報と識別情報との関連付けに対応する条件を満たす場合、受信した発信情報に関連する識別情報により識別される照明器具５１の制御を照明システム５０，５０Ａ，５０Ｂに指示する。
【００１４】
また、以下で説明する実施形態１〜３に係る発信情報活用システム１〜３において、サーバ１００，１００Ａ，１００Ｂは、携帯端末１０，１０Ａから発信情報を受信した場合、外部のシステムから取得した情報に基づいて、照明器具５１の制御を照明システム５０，５０Ａ，５０Ｂに指示する。
【００１５】
また、以下で説明する実施形態３に係る発信情報活用システム３において、発信機４０Ａは、割り当てられた発信情報を変更する指示を受け付けた場合、発信情報を新たな発信情報に変更し、サーバ１００Ｂは、発信情報の各々を照明器具５１の制御方法と関連付けて管理し、携帯端末１０から新たな発信情報を受信した場合、新たな発信情報に関連付けられた照明器具５１の制御方法に基づいて、受信した新たな発信情報に関連する識別情報により識別される照明器具５１の制御を照明システム５０Ｂに指示する。
【００１６】
また、以下で説明する実施形態２に係る発信情報活用システム２において、サーバ１００Ａは、位置情報管理システム２００から、所定の範囲内においてユーザが利用可能なエリアである利用可能エリアに関連する情報と紐付けられる登録キーを取得し、携帯端末１０は、位置情報管理システム２００から登録キーを取得し、サーバ１００Ａは、携帯端末１０から登録キーと利用可能エリアに対応する発信情報とを受信した場合、受信した発信情報に関連する識別情報により識別される照明器具５１の制御を照明システム５０に指示する。
【００１７】
また、以下で説明する実施形態４に係る発信情報活用システム４において、所定のシステムは、識別情報により識別される複数のコンテンツを管理するコンテンツ配信システムであり、携帯端末１０Ａは、発信機４０Ａから受信した発信情報が所定の条件を満たす場合、受信した発信情報と携帯端末１０Ａを識別する情報とをサーバ１００Ｃへ送信し、サーバ１００Ｃは、携帯端末１０Ａから発信機４０Ａの発信情報と携帯端末１０Ａを識別する情報とを受信した場合、受信した発信情報に関連する識別情報により識別されるコンテンツの配信をコンテンツ配信システムに指示する。
【００１８】
また、以下で説明する実施形態４に係る発信情報活用システム４において、発信機４０Ａは、発信情報を変更する指示を受信した場合、発信情報を新たな発信情報に変更し、携帯端末１０Ａは、発信機４０Ａから受信した新たな発信情報が所定の条件を満たす場合、新たな発信情報と携帯端末１０Ａを識別する情報とをサーバ１００Ｃへ送信し、サーバ１００Ｃは、携帯端末１０Ａから新たな発信情報と携帯端末１０Ａを識別する情報とを受信した場合、受信した新たな発信情報に関連する識別情報により識別されるコンテンツの配信をコンテンツ配信システムに指示する。
【００１９】
また、以下で説明する実施形態４に係る発信情報活用システム４において、発信機４０Ａは、複数の発信情報が割り当てられ、複数の発信情報の各々を所定のタイミングで発信し、携帯端末１０Ａは、発信機４０Ａから受信した発信情報が所定の条件を満たす場合、発信情報と携帯端末１０Ａを識別する情報とをサーバ１００Ｃへ送信する。
【００２０】
また、以下で説明する実施形態１〜４に係る発信情報活用システム１〜４において、サーバ１００，１００Ａ〜１００Ｃは、携帯端末１０，１０Ａから発信情報を受信した場合、発信情報に対応する位置に基づいた位置情報を携帯端末１０，１０Ａに送信する。
【００２１】
また、以下で説明する実施形態１〜４に係る発信情報活用システム１〜４において、サーバ１００，１００Ａ〜１００Ｃは、携帯端末１０，１０Ａから発信情報を受信した場合、発信情報に対応する位置から所定の目的地までの経路に関する位置情報を携帯端末１０，１０Ａに送信する。
【００２２】
また、以下で説明する実施形態１〜４に係る発信情報活用システム１〜４において、サーバ１００，１００Ａ〜１００Ｃは、他のシステムが管理する他の対象を識別する他の識別情報と発信情報とを関連付けることにより、携帯端末１０，１０Ａから発信情報を受信した場合、受信した発信情報に関連する他の識別情報により識別される他の対象に関する処理を、他のシステムに指示する。
【００２３】
また、以下で説明する実施形態１〜４に係る発信情報活用システム１〜４において、サーバ１００，１００Ａ〜１００Ｃは、携帯端末１０，１０Ａから受信した発信情報に基づいて、複数の発信機４０，４０Ａが設置された範囲における人の分布に関する情報を表示させる。
【００２４】
また、以下で説明する実施形態１〜４に係る発信情報活用システム１〜４において、携帯端末１０，１０Ａは、発信情報とともに携帯端末１０，１０Ａを所有するユーザの属性情報をサーバ１００，１００Ａ〜１００Ｃへ送信し、サーバ１００，１００Ａ〜１００Ｃは、携帯端末１０，１０Ａから受信した発信情報と携帯端末１０，１０Ａを所有するユーザの属性情報に基づいて、複数の発信機４０，４０Ａが設置された範囲における前記ユーザの属性情報に関する人の分布に関する情報を表示させる。
【００２５】
また、以下で説明する実施形態１〜４に係る発信情報活用システム１〜４において、サーバ１００，１００Ａ〜１００Ｃは、携帯端末１０，１０Ａから受信した発信情報に基づいて、受信した発信情報の数が閾値未満であるエリアを所定の手段により通知する。
【００２６】
［実施形態１］
まず、本発明の実施形態１に係る発信情報活用システム１を図面に基いて説明する。図１は、実施形態１に係る発信情報活用システムの概略構成を示す図である。図１では、発信情報活用システム１が、所定のシステムとして、識別情報により識別される複数の照明器具５１を有する照明システム５０を具備する場合を例示する。
【００２７】
実施形態１に係る発信情報活用システム１は、複数の発信機４０−１，４０−２，４０−３，４０−４と、携帯端末１０と、サーバ１００と、照明システム５０とを具備する。以下では、発信機４０−１，４０−２，４０−３，４０−４等について、特に区別なく説明する場合には、発信機４０と記載する。例えば、サーバ１００は、携帯端末１０や照明システム５０と所定のネットワークを介して通信可能に接続されている。
【００２８】
発信機４０は、例えば、ビーコンなどの定期的に電波（情報）を発信するデバイスである。また、発信機４０は、所定の目的に応じて割り当てられた発信情報である発信ＩＤを発信する。発信ＩＤの詳細については後述する。図１に示す例においては、発信機４０は、天井に複数設置される。また、照明システム５０が有する複数の照明器具５１−１，５１−２，５１−３，５１−４も天井に設置される。以下では、照明器具５１−１，５１−２，５１−３，５１−４等について、特に区別なく説明する場合には、照明器具５１と記載する。
【００２９】
ここで、図１に示す例では、発信機４０−１の付近には、照明器具５１−１及び照明器具５１−２が設置され、発信機４０−２及び発信機４０−３の付近には、照明器具５１−３が設置され、発信機４０−３及び発信機４０−４の付近には、照明器具５１−４が設置される。ここに、照明器具５１−１及び照明器具５１−２は、発信機４０−１に対応付けられ、照明器具５１−３は、発信機４０−２及び発信機４０−３に対応付けられ、照明器具５１−４は、発信機４０−３及び発信機４０−４に対応付けられる。このように、発信情報活用システム１においては、１つの発信機４０に複数の照明器具５１が対応付けられ、複数の発信機４０に１つの照明器具５１が対応付けられてもよい。
【００３０】
携帯端末１０は、ユーザが所有する情報処理装置である。携帯端末１０は、ユーザが持ち運び可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。図１に示す例においては、携帯端末１０としてスマートフォンを用いる場合を説明する。なお、以下では、携帯端末１０をユーザと表記する場合がある。すなわち、以下では、ユーザを携帯端末１０と読み替えることもできる。例えば、携帯端末１０は、発信機４０から発信される情報を受信する。具体的には、携帯端末１０は、発信機４０から発信される発信ＩＤを受信する。また、携帯端末１０は、発信機４０から受信した発信ＩＤをサーバ１００へ送信する。
【００３１】
サーバ１００は、複数の発信機４０の発信情報の各々に、所定のシステムの識別情報を関連付けて管理する情報処理装置である。例えば、サーバ１００は、複数の発信機４０の発信ＩＤの各々に、照明システム５０が有する複数の照明器具５１を識別する識別情報である照明ＩＤを関連付けて管理する。サーバ１００は、携帯端末１０から発信ＩＤを受信した場合、発信ＩＤに基づいて、照明システム５０に照明器具５１を制御するように指示する。具体的には、サーバ１００は、携帯端末１０から受信した発信ＩＤに関連付けられた照明ＩＤを抽出する。そして、サーバ１００は、抽出した照明ＩＤにより識別される照明器具５１を制御するように照明システム５０に指示する。なお、以下では、照明器具５１の制御の一例として、照明器具５１を調光する場合を示すが、サーバ１００は、目的に応じて種々の制御方法を適宜選択してもよい。例えば、サーバ１００は、照明器具５１の出力する光の色を変化させる調色制御や、出力のオンオフの切替え制御や、タイマー制御や、スケジュール制御等を行ってもよい。例えば、サーバ１００は、タイマー制御を行う場合、携帯端末１０から要求されてから所定の時間（例えば５秒など）が経過した後、照明制御システム５０に発信機ＩＤの発信機が設置された位置から所定の範囲内に配置された照明器具５１を、点灯、消灯、又は点滅等を行う制御を行ってもよい。
【００３２】
照明システム５０は、複数の照明器具５１を有する。照明器具５１は、光源として、蛍光灯やＬＥＤ（Light  Emitting  Diode）等、目的に応じて種々の光源を用いてもよい。また、各照明器具５１は、光源の調光を制御する制御部を有する。なお、図示を省略したが、照明システム５０は、複数の照明器具５１を制御する制御装置を有してもよい。照明システム５０が制御装置を有する場合、サーバ１００は、制御装置を介して各照明器具５１に調光を指示する。なお、ここで言う調光には、光源の出力を段階的に制御することや、光源を点灯状態や消灯状態に変化させること等を含む。
【００３３】
図１に示すように、ユーザの携帯端末１０は発信機４０−１が発信する発信ＩＤを受信する（図１中の（１））。図１に示す例においては、ユーザが照明器具５１−１及び照明器具５１−２に接近した際に、携帯端末１０は、発信機４０−１が発信する発信ＩＤを受信する。そして、携帯端末１０は、例えばユーザの操作に応じて、発信機４０−１から受信した発信ＩＤをサーバ１００へ送信する（図１中の（２））。
【００３４】
サーバ１００は、携帯端末１０から発信ＩＤを受信した場合、受信した発信ＩＤに関連付けられた照明ＩＤにより識別される照明器具５１を調光するように照明システム５０に指示する（図１中の（３））。図１に示す例においては、サーバ１００は、発信機４０−１に関連付けられた照明器具５１−１及び照明器具５１−２を調光するように照明システム５０に指示する。
【００３５】
サーバ１００から調光の指示を受け付けた照明器具５１−１及び照明器具５１−２では、例えば制御部により光源から放射する光が調光される（図１中の（４））。図１に示す例においては、照明器具５１−２を含む照明器具５１が消灯している状態であるので、サーバ１００は、照明器具５１−２の光源を点灯するように照明システム５０に指示する。これにより、ユーザは、発信機４０から受信した発信ＩＤに基づいて照明を制御するサービスを受けることができる。なお、携帯端末１０が複数の発信ＩＤを受信する場合、例えば受信強度が最も高い発信ＩＤのみを受信した発信ＩＤとしてもよい。また、携帯端末１０が所定の閾値を超える受信強度の発信ＩＤのみを受信した発信ＩＤとしてもよい。
【００３６】
［サーバの構成例］
次に、図２を用いて、実施形態１に係るサーバ１００の構成について説明する。図２は、実施形態１に係るサーバの構成を示すブロック図である。図２に示すように、サーバ１００は、通信部１１０と、記憶部１２０と、制御部１３０とを有する。なお、サーバ１００は、サーバ１００の管理者等から各種操作を受け付ける入力部（例えば、キーボードやマウス等）や、各種情報を表示するための表示部（例えば、液晶ディスプレイ等）を有してもよい。
【００３７】
通信部１１０は、例えば、ＮＩＣ（Network  Interface  Card）によって実現される。通信部１１０は、図示しない所定のネットワークと有線又は無線で接続される。そして、通信部１１０は、図示しない所定のネットワークを介して、携帯端末１０や照明システム５０との間で情報の送受信を行う。
【００３８】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態１に係る記憶部１２０は、図２に示すように、発信機情報記憶部１２１を有する。
【００３９】
発信機情報記憶部１２１は、発信機４０に関する情報を記憶する。図３は、実施形態１に係る発信機情報記憶部に記憶される情報の一例を示す図である。具体的には、図３は、発信機情報記憶部１２１に記憶される発信機４０に関する情報の一例を示す。図３に示すように、発信機情報記憶部１２１は、発信機４０に関する情報として、「装置ＩＤ」、「発信ＩＤ」、「対応照明１」、及び「対応照明２」といった項目を有する。なお、発信機情報記憶部１２１が有する項目は上記に限らず、発信機情報記憶部１２１は、目的に応じて種々の情報を記憶してもよい。例えば、発信機情報記憶部１２１は、発信機４０が設置された位置に関する情報を記憶してもよい。例えば、発信機情報記憶部１２１は、発信機４０が設置された位置の緯度経度を記憶してもよい。
【００４０】
「装置ＩＤ」は、発信機４０を識別するための情報を示す。「発信ＩＤ」は、発信機４０の各々に目的に応じて割り当てられる発信情報を示す。例えば、発信機４０は、割り当てられた発信ＩＤを発信する。なお、「発信ＩＤ」が一意な情報、例えばユニークなＩＤである場合、発信機４０を識別するための情報として「発信ＩＤ」を用いてもよい。この場合、発信機情報記憶部１２１は、「装置ＩＤ」を記憶しなくてもよい。
【００４１】
また、「対応照明１」及び「対応照明２」は、装置ＩＤにより識別される発信機４０に対応付けられた照明器具５１を識別する照明ＩＤを示す。例えば、図３の例は、装置ＩＤ「Ｍ１１」により識別される発信機４０には、照明ＩＤ「Ｌ１１」により識別される照明器具５１と照明ＩＤ「Ｌ１２」により識別される照明器具５１とが対応付けられる。図１に示す例においては、発信機４０−１が装置ＩＤ「Ｍ１１」により識別される発信機４０に対応し、照明器具５１−１が照明ＩＤ「Ｌ１１」により識別される照明器具５１に対応し、照明器具５１−２が照明ＩＤ「Ｌ１２」により識別される照明器具５１に対応する。このように、発信機情報記憶部１２１には、１つの発信機４０−１に２つの照明器具５１−１及び照明器具５１−２が対応付けられて記憶される。つまり、発信機情報記憶部１２１には、１つの発信機４０に複数の照明器具５１が対応付けられて記憶されてもよい。
【００４２】
また、例えば、図３の例は、装置ＩＤ「Ｍ１２」により識別される発信機４０には、照明ＩＤ「Ｌ１３」により識別される照明器具５１が対応付けられる。また、装置ＩＤ「Ｍ１３」により識別される発信機４０には、照明ＩＤ「Ｌ１３」により識別される照明器具５１と照明ＩＤ「Ｌ１４」により識別される照明器具５１とが対応付けられる。図１に示す例においては、発信機４０−２が装置ＩＤ「Ｍ１２」により識別される発信機４０に対応し発信機４０−３が装置ＩＤ「Ｍ１３」により識別される発信機４０に対応する。また、照明器具５１−３が照明ＩＤ「Ｌ１３」により識別される照明器具５１に対応し、照明器具５１−４が照明ＩＤ「Ｌ１４」により識別される照明器具５１に対応する。このように、発信機情報記憶部１２１には、１つの照明器具５１−３に２つの発信機４０−２及び発信機４０−３が対応付けられて記憶される。つまり、発信機情報記憶部１２１には、１つの照明器具５１に複数の発信機４０が対応付けられて記憶されてもよい。
【００４３】
図２の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、抽出部１３２、及び送信部１３３を有する。
【００４４】
受信部１３１は、携帯端末１０から発信ＩＤを受信する。また、受信部１３１は、受信した発信ＩＤを抽出部１３２に受け渡す。
【００４５】
抽出部１３２は、受信部１３１により発信ＩＤが受信された場合、発信機情報記憶部１２１から受信した発信ＩＤに関連する照明ＩＤを抽出する。例えば、抽出部１３２は、発信ＩＤに関連する照明ＩＤが複数ある場合、複数の照明ＩＤを抽出する。例えば、抽出部１３２は、携帯端末１０から発信ＩＤ「Ｂ１１」を受信した場合、発信機情報記憶部１２１から発信ＩＤ「Ｂ１１」に関連付けられた照明ＩＤ「Ｌ１１」及び「Ｌ１２」を抽出する。
【００４６】
送信部１３３は、抽出部１３２により抽出された照明ＩＤにより識別される照明器具５１を調光するように照明システム５０に指示する情報を送信する。例えば、送信部１３３は、抽出部１３２により照明ＩＤ「Ｌ１１」及び「Ｌ１２」が抽出された場合、照明ＩＤ「Ｌ１１」により識別される照明器具５１−１と、照明ＩＤ「Ｌ１２」により識別される照明器具５１−２とに対し調光を指示する情報を送信する。
【００４７】
［携帯端末の構成］
続いて、図４を用いて、携帯端末１０の構成を説明する。図４は、実施形態１に係る携帯端末の構成を示すブロック図である。以下に示す携帯端末１０は、発信機４０から発信される発信ＩＤを受信したり、受信した発信ＩＤをサーバ１００へ送信したりする。図４に示すように、携帯端末１０は、通信部１１、記憶部１２、入力部１３、出力部１４、及び制御部１５を有する。以下に、これらの各部の処理を説明する。
【００４８】
通信部１１は、例えば、通信回路等によって実現される。そして、通信部１１は、外部の情報処理装置との間で情報の送受信を行う。例えば、通信部１１は、発信機４０やサーバ１００との間で情報の送受信を行う。通信部１１は、例えば、発信機４０がビーコンである場合、Ｂｌｕｅｔｏｏｔｈ（登録商標）の機能を有してもよい。
【００４９】
記憶部１２は、制御部１５による各種処理に必要なデータおよびプログラムを格納する。また、記憶部１２は、例えば受信した発信ＩＤなど各種情報を格納する。なお、記憶部１２とは、ＲＡＭ、ＲＯＭ（Read  Only  Memory）、フラッシュメモリなどの半導体メモリ素子、または、ハードディスク、光ディスクなどの記憶装置である。
【００５０】
入力部１３は、ユーザの操作が入力される。例えば、入力部１３は、携帯端末１０がタッチパネルの機能を有する場合、携帯端末１０の表示画面を介してユーザから各種操作を受け付ける。また、入力部１３は、音声認識の機能により携帯端末１０のマイクを介してユーザから各種操作を受け付けてもよい。
【００５１】
出力部１４は、例えば液晶ディスプレイや有機ＥＬ（Electro-Luminescence）ディスプレイ等によって実現される携帯端末１０の表示画面を備え、各種情報を表示する。例えば、出力部１４は、発信機４０から受信した発信ＩＤをサーバ１００に送信するかどうかを確認する画面を出力する。
【００５２】
制御部１５は、各種の処理手順などを規定したプログラムおよび所要データを格納するための内部メモリを有し、これらによって種々の処理を実行するが、特に本発明に密接に関連するものとしては、受信部１６と送信部１７とを有する。
【００５３】
受信部１６は、発信機４０から発信される発信ＩＤを受信する。送信部１７は、発信機４０から受信した発信ＩＤをサーバ１００に送信する。なお、送信部１７が発信ＩＤをサーバ１００に送信するタイミングは、ユーザによる操作が行われた時点であってもよい。
【００５４】
なお、携帯端末１０は、発信情報活用アプリケーションがインストールされたスマートフォンやタブレット端末等であってもよい。例えば、携帯端末１０が、発信情報活用アプリケーションがインストールされたスマートフォンである場合、制御部１５や記憶部１２については、携帯端末１０にインストールされた発信情報活用アプリケーションの機能であってもよい。
【００５５】
［発信機の構成］
続いて、図５を用いて、発信機４０の構成を説明する。図５は、実施形態１に係る発信機の構成を示すブロック図である。以下に示す発信機４０は、発信ＩＤを発信する。図５に示すように、発信機４０は、発信部４１、記憶部４２、及び制御部４３を有する。以下に、これらの各部の処理を説明する。
【００５６】
発信部４１は、例えば、所定の回路等によって実現され、電波（例えば、マイクロ波等）を発信する機能を有する。また、発信部４１は、定期的に電波（情報）を発信する。
【００５７】
記憶部４２は、制御部４３による各種処理に必要なデータおよびプログラムを格納する。また、記憶部４２は、例えば発信部４１により発信する発信ＩＤや装置ＩＤなど各種情報を格納する。なお、記憶部１２とは、ＲＡＭ、ＲＯＭ（Read  Only  Memory）、フラッシュメモリなどの半導体メモリ素子、または、ハードディスク、光ディスクなどの記憶装置である。
【００５８】
制御部１５は、各種の処理手順などを規定したプログラムおよび所要データを格納するための内部メモリを有し、これらによって種々の処理を実行するが、特に本発明に密接に関連するものとしては、指示部４４とを有する。
【００５９】
指示部４４は、所定の情報を発信するように発信部４１に指示する。例えば、指示部４４は、記憶部４２に記憶された発信ＩＤを発信するように発信部４１に指示する。
【００６０】
［発信情報活用システムによる処理］
次に、図６を用いて、実施形態１に係る発信情報活用システム１による発信情報活用処理を説明する。図６は、実施形態１に係る発信情報活用システムにおける発信情報活用処理の手順を示すシーケンス図である。
【００６１】
図６に示すように、携帯端末１０は、発信機４０から発信情報を受信する（ステップＳ１０１）。例えば、携帯端末１０は、発信機４０から発信ＩＤを受信する。そして、発信機４０から発信情報を受信した携帯端末１０は、受信した発信情報をサーバ１００へ送信する（ステップＳ１０２）。例えば、発信機４０から発信ＩＤを受信した携帯端末１０は、受信した発信ＩＤをサーバ１００へ送信する。
【００６２】
そして、サーバ１００は、発信情報を受信した場合、発信情報に対応する照明器具５１を対象照明として抽出する（ステップＳ１０３）。例えば、サーバ１００は、携帯端末１０から発信ＩＤを受信した場合、受信した発信ＩＤに関連する照明ＩＤを抽出する。
【００６３】
その後、サーバ１００は、抽出した照明ＩＤにより識別される照明器具５１の調光を指示する（ステップＳ１０４）。例えば、サーバ１００は、抽出した照明ＩＤにより識別される照明器具５１に調光を指示する情報を送信する。例えば、サーバ１００は、抽出した照明ＩＤにより識別される照明器具５１に点灯を指示する情報を送信する。そして、サーバ１００から調光の指示を受け付けた照明器具５１は、サーバ１００からの指示の内容に基づいて、光源を調光する（ステップＳ１０５）。
【００６４】
なお、上記の例においては、携帯端末１０が発信機４０から発信ＩＤを受信し、受信した発信ＩＤを携帯端末１０がサーバ１００へ送信する場合を例に示した。しかしながら、携帯端末１０から指示を受けた発信機４０が、サーバ１００へ発信ＩＤを送信してもよい。この場合、発信機４０は、携帯端末１０からの指示を受信したり、サーバ１００へ発信ＩＤを送信したりするための所定の通信機能を有する通信部を備えてもよい。また、発信機４０は、発信ＩＤを発信する発信モードと、携帯端末１０からの指示を受信したり、サーバ１００へ発信ＩＤを送信したりする双方方向通信モードとを切替え可能であってもよい。例えば、発信機４０は、サーバ１００や携帯端末１０からの指示に応じて、発信モードと、双方方向通信モードとを切り替えてもよい。
【００６５】
［実施形態１の効果］
上述のように、実施形態１に係る発信情報活用システム１は、複数の発信機４０と、携帯端末１０とを具備する。複数の発信機４０は、各々に割り当てられた発信情報を発信する。また、携帯端末１０は、複数の発信機４０から発信される発信情報を受信する。また、サーバ１００は、所定のシステムが管理する対象を識別する識別情報と発信情報とを関連付けることにより、携帯端末１０から発信情報を受信した場合、受信した発信情報に関連する識別情報により識別される対象に関する処理を、所定のシステムに指示する。
【００６６】
これにより、発信情報活用システム１は、他のシステムと適切に関連付けることができる。
【００６７】
また、実施形態１に係る発信情報活用システム１において、所定のシステムは、識別情報により識別される複数の照明器具５１を管理する照明システム５０である。また、サーバ１００は、携帯端末１０から発信情報を受信した場合、受信した発信情報に関連する識別情報により識別される照明器具５１の制御を照明システム５０に指示する。
【００６８】
これにより、発信情報活用システム１においては、他のシステムである照明システム５０と適切に関連付けることができる。具体的には、発信情報活用システム１においては、照明システム５０と適切に関連付けることにより、照明システム５０の照明器具５１を制御することができる。
【００６９】
［変形例１−１］
実施形態１において、携帯端末１０は、発信情報をサーバ１００へ送信する。しかしながら、携帯端末１０は、発信情報とともに照明器具５１の制御の方法に関する情報をサーバ１００へ送信してもよい。携帯端末１０から発信情報とともに照明器具５１の制御の方法に関する情報を受信したサーバ１００は、受信した照明器具５１の制御の方法に関する情報に基づいて、受信した発信情報に対応する照明器具５１の制御を照明システム５０に指示する。図１に示す例において、携帯端末１０が発信機４０−２から受信した発信情報とともに、照明器具５１の調光の方法に関する情報をサーバ１００へ送信した場合、サーバ１００は、受信した調光の方法に関する情報に基づいて、発信機４０−２の発信情報に対応する照明器具５１−３の調光を照明システム５０に指示する。例えば、サーバ１００が照明器具５１を点滅させる方法を調光の方法として受信した場合、サーバ１００は、発信機４０−２の発信情報に対応する照明器具５１−３を点滅させるように照明システム５０に指示する。
【００７０】
［変形例１−１の効果］
上述のように、変形例１−１に係る発信情報活用システム１において、携帯端末１０は、サーバ１００に発信情報を送信する場合、照明器具５１の制御の方法に関する情報を前記サーバ１００に送信する。サーバ１００は、携帯端末１０から発信情報と照明器具５１の制御の方法に関する情報とを受信した場合、携帯端末１０から受信した照明器具５１の制御の方法に関する情報に基づいて、受信した発信情報に関連する識別情報により識別される照明器具５１の制御を照明システム５０に指示する。
【００７１】
これにより、発信情報活用システム１は、照明システム５０の照明器具５１をユーザの所望の調光方法により制御することができる。
【００７２】
［変形例１−２］
また、携帯端末１０は、発信情報とともに照明器具５１の制御の方法に関する情報として携帯端末１０を所有するユーザの属性情報をサーバ１００に送信してもよい。携帯端末１０から携帯端末１０を所有するユーザの属性情報を受信したサーバ１００は、受信した携帯端末１０を所有するユーザの属性情報に基づいて、受信した発信情報に対応する照明器具５１の制御を照明システム５０に指示する。図７は、変形例１−２に係る発信機情報記憶部に記憶される情報の一例を示す図である。
【００７３】
発信機情報記憶部１２１−１は、発信機４０に関する情報を記憶する。発信機情報記憶部１２１−１に記憶される発信機４０に関する情報の一例を示す。図７に示すように、発信機情報記憶部１２１−１は、発信機４０に関する情報として、「装置ＩＤ」、「発信ＩＤ」、「対応照明１」、「対応照明２」、及び「調光方法」といった項目を有する。なお、図３に示す発信機情報記憶部１２１と同様の項目については、説明を省略する。
【００７４】
「調光方法」には、「属性情報」とその属性情報に対応する調光方法を示す「方法」との２つの項目を有する。図７に示す例においては、「属性情報」として、男性や女性などのユーザの性別に関する情報が格納される。また、「方法」としては、速く、ゆっくりなどの調光の速度に関する情報や、点滅、色変更等の調光の種類に関する情報が記憶される。図７の例においては、発信ＩＤ「Ｂ１１」とともにユーザの属性情報「男性」を受信した場合、照明ＩＤ「Ｌ１１」により識別される照明器具５１と照明ＩＤ「Ｌ１２」により識別される照明器具５１とを方法「速く」に基づき調光する。また、図７の例においては、発信ＩＤ「Ｂ１１」とともにユーザの属性情報「女性」を受信した場合、照明ＩＤ「Ｌ１１」により識別される照明器具５１と照明ＩＤ「Ｌ１２」により識別される照明器具５１とを方法「ゆっくり」に基づき調光する。つまり、サーバ１００は、発信ＩＤ「Ｂ１１」とともにユーザの属性情報「男性」を受信した場合、発信ＩＤ「Ｂ１１」とともにユーザの属性情報「女性」を受信した場合に比べて、速く調光を行うように照明システム５０に指示する。
【００７５】
また、図７の例においては、発信ＩＤ「Ｂ１４」とともにユーザの属性情報「男性」を受信した場合、照明ＩＤ「Ｌ１４」により識別される照明器具５１の制御を変更しない。つまり、サーバ１００は、発信ＩＤ「Ｂ１４」とともにユーザの属性情報「男性」を受信した場合、現在の制御情報を維持する。一方、図７の例においては、発信ＩＤ「Ｂ１４」とともにユーザの属性情報「女性」を受信した場合、照明ＩＤ「Ｌ１４」により識別される照明器具５１を方法「色変更」に基づき調光する。つまり、サーバ１００は、発信ＩＤ「Ｂ１４」とともにユーザの属性情報「女性」を受信した場合、照明ＩＤ「Ｌ１４」により識別される照明器具５１が出力する光の色を変更するように照明システム５０に指示する。この場合、例えば、照明ＩＤ「Ｌ１４」により識別される照明器具５１は出力する光の色を白から赤へ変更する。
【００７６】
また、図７の例においては、対応する「調光方法」が記憶されていない発信ＩＤ「Ｂ１２」や発信ＩＤ「Ｂ１３」を受信した場合、「属性情報」の受信の有無に関わらず通常の調光を照明システム５０に指示する。なお、調光方法を示す「方法」については、目的に応じて種々の方法を記憶してもよい。例えば、「方法」として、「ゆっくり点滅」や「色を連続変化」などを記憶してもよい。また、発信機情報記憶部１２１−１は、「対応照明１」と「対応照明２」との各々に対応する「調光方法」を記憶してもよい。この場合、「対応照明１」と「対応照明２」とは、各々の「調光方法」に基づいて調光される。また、発信機情報記憶部１２１−１は、「属性情報」としてユーザの性別に限らず、目的に応じてユーザの年齢や年代等の種々の属性情報を記憶してもよい。さらに、ユーザの属性情報としては性別、年齢、体重等のパーソナルデータや所定の団体や会員に所属していることを示す登録データ等であってもよい。発信機情報記憶部１２１−１に「属性情報」として年代が記憶される場合、携帯端末１０は、ユーザの年代（例えば、４０代など）を発信ＩＤとともにサーバ１００へ送信する。
【００７７】
［変形例１−２の効果］
上述のように、変形例１−２に係る発信情報活用システム１において、携帯端末１０は、サーバ１００に発信情報を送信する場合、照明器具５１の制御の方法に関する情報として携帯端末１０を所有するユーザの属性情報をサーバ１００に送信する。また、サーバ１００は、携帯端末１０から発信情報とユーザの属性情報とを受信した場合、携帯端末１０から受信したユーザの属性情報に基づいて、受信した発信情報に関連する識別情報により識別される照明器具５１の制御を照明システム５０に指示する。
【００７８】
これにより、発信情報活用システム１は、照明システム５０の照明器具５１をユーザの属性に適した調光方法により制御することができる。
【００７９】
［変形例１−３］
また、サーバ１００は、発信ＩＤに対応する照明器具５１のうち、所定の条件を満たす照明器具５１を制御するように照明システム５０に指示してもよい。図８は、変形例１−３に係る発信機情報記憶部に記憶される情報の一例を示す図である。
【００８０】
発信機情報記憶部１２１−２は、発信機４０に関する情報を記憶する。発信機情報記憶部１２１−２に記憶される発信機４０に関する情報の一例を示す。図８に示すように、発信機情報記憶部１２１−２は、発信機４０に関する情報として、「装置ＩＤ」、「発信ＩＤ」、「対応照明１」、及び「対応照明２」といった項目を有する。なお、図３に示す発信機情報記憶部１２１と同様の項目については、説明を省略する。
【００８１】
図８に示す例において、「対応照明１」、及び「対応照明２」は、「照明ＩＤ」と調光を行う条件を示す「条件」との２つの項目を有する。図８に示す例においては、「照明ＩＤ」は、装置ＩＤにより識別される発信機４０に対応付けられた照明器具５１を識別する照明ＩＤを示す。「条件」には、調光を行う条件を示す種々の情報が格納される。図８に示す例において、「条件」としては、１２時〜１５時、１５時〜１７時などの受信時間に関する情報や、男性、女性等のユーザの属性情報に関する情報等が記憶される。
【００８２】
図８の例においては、サーバ１００は、発信ＩＤ「Ｂ１１」を１４時に受信した場合、照明ＩＤ「Ｌ１１」により識別される照明器具５１の調光を照明システム５０に指示する。この場合、サーバ１００は、照明ＩＤ「Ｌ１２」により識別される照明器具５１については、条件「１５時〜１７時」を満たさないため、調光の対象としない。また、サーバ１００は、発信ＩＤ「Ｂ１１」を１５時３０分に受信した場合、照明ＩＤ「Ｌ１２」により識別される照明器具５１の調光を照明システム５０に指示する。この場合、サーバ１００は、照明ＩＤ「Ｌ１１」により識別される照明器具５１については、条件「１２時〜１５時」を満たさないため、調光の対象としない。
【００８３】
また、図８の例においては、発信ＩＤ「Ｂ１３」とともにユーザの属性情報「男性」を受信した場合、照明ＩＤ「Ｌ１３」により識別される照明器具５１の調光を照明システム５０に指示する。この場合、サーバ１００は、照明ＩＤ「Ｌ１４」により識別される照明器具５１については、条件「女性」を満たさないため、調光の対象としない。また、発信ＩＤ「Ｂ１３」とともにユーザの属性情報「女性」を受信した場合、照明ＩＤ「Ｌ１４」により識別される照明器具５１の調光を照明システム５０に指示する。この場合、サーバ１００は、照明ＩＤ「Ｌ１３」により識別される照明器具５１については、条件「男性」を満たさないため、調光の対象としない。
【００８４】
また、図８の例においては、対応する「条件」が記憶されていない発信ＩＤ「Ｂ１２」や発信ＩＤ「Ｂ１４」を受信した場合、受信時間や「属性情報」の受信の有無に関わらず予め設定した制御を照明システム５０に指示する。なお、発信機情報記憶部１２１−２は、「条件」として、複数の条件を記憶してもよい。例えば、受信時間とユーザ属性とを含んだ条件を記憶してもよい。また、発信機情報記憶部１２１−２は、図７の例と同様に、「対応照明１」と「対応照明２」との各々に対応する「調光方法」を記憶してもよい。
【００８５】
［変形例１−３の効果］
上述のように、変形例１−３に係る発信情報活用システム１において、サーバ１００は、発信情報と識別情報との関連付け毎に調光を行う条件を管理し、携帯端末１０から受信した発信情報と識別情報との関連付けに対応する条件を満たす場合、受信した発信情報に関連する識別情報により識別される照明器具５１の調光を照明システム５０に指示する。
【００８６】
これにより、発信情報活用システム１は、照明システム５０の照明器具５１を特定の条件に基づいて制御することができる。
【００８７】
［変形例１−４］
また、サーバ１００は、発信ＩＤ又は装置ＩＤに複数のシステムの識別情報を関連付けてもよい。図９は、変形例１−４に係る発信機情報記憶部に記憶される情報の一例を示す図である。図９に示す例においては、照明システム５０に加えてセキュリティシステムが発信情報活用システム１に関連付けられた例を示す。
【００８８】
発信機情報記憶部１２１−３は、発信機４０に関する情報を記憶する。発信機情報記憶部１２１−３に記憶される発信機４０に関する情報の一例を示す。図９に示すように、発信機情報記憶部１２１−３は、発信機４０に関する情報として、「装置ＩＤ」、「発信ＩＤ」、「照明システム」、及び「セキュリティシステム」といった項目を有する。なお、図３に示す発信機情報記憶部１２１と同様の項目については、説明を省略する。
【００８９】
「照明システム」は、「対応照明１」と「対応照明２」との２つの項目を有する。なお、「照明システム」には、「対応照明３」等、発信機４０に対応付けられた照明器具５１の数に応じて随時追加可能である。「対応照明１」と「対応照明２」は、図３に示す発信機情報記憶部１２１と同様に、発信ＩＤ又は装置ＩＤにより識別される発信機４０に対応付けられた照明器具５１を識別する照明ＩＤを示す。例えば、図９の例は、装置ＩＤ「Ｍ１１」により識別される発信機４０には、照明ＩＤ「Ｌ１１」により識別される照明器具５１と照明ＩＤ「Ｌ１２」により識別される照明器具５１とが対応付けられる。
【００９０】
「セキュリティシステム」は、「セキュリティ１」と「セキュリティ２」との２つの項目を有する。なお、「セキュリティシステム」には、「セキュリティ３」等、発信機４０に対応付けられたセキュリティの数に応じて随時追加可能である。なお、ここでいう、セキュリティは、例えば警報機等であってもよい。「セキュリティ１」と「セキュリティ２」は、装置ＩＤにより識別される発信機４０に対応付けられたセキュリティを識別するセキュリティＩＤを示す。例えば、図９の例は、装置ＩＤ「Ｍ１１」により識別される発信機４０には、セキュリティＩＤ「Ｈ１１」により識別されるセキュリティが対応付けられる。また、装置ＩＤ「Ｍ１２」により識別される発信機４０には、セキュリティＩＤ「Ｈ１２」により識別されるセキュリティとセキュリティＩＤ「Ｈ１３」により識別されるセキュリティとが対応付けられる。このように、発信情報活用システム１は、発信機４０に複数のシステムを関連付けることができる。
【００９１】
例えば、サーバ１００は、時間帯や状況に応じて照明システムとセキュリティシステムを使い分けることができる。つまり、サーバ１００が照明システムを適用しているときに発信ＩＤ「Ｂ１１」を受信した場合、照明ＩＤ「Ｌ１１」により識別される照明器具５１と照明ＩＤ「Ｌ１２」により識別される照明器具５１との調光を照明システム５０に指示する。また、サーバ１００がセキュリティシステムを適用しているときに発信ＩＤ「Ｂ１１」を受信した場合、セキュリティＩＤ「Ｈ１１」により識別されるセキュリティに関する処理をセキュリティシステムに指示する。例えば、サーバ１００が発信ＩＤ「Ｂ１１」を受信した場合、セキュリティシステムは、セキュリティＩＤ「Ｈ１１」により識別されるセキュリティ（警報機）に音を出力させる。なお、サーバ１００は、セキュリティシステムに限らず、目的に応じて種々の他のシステムの識別情報を発信ＩＤに関連付けてもよい。例えば、サーバ１００は、照明器具５１の設定等を行う設定システムの識別情報を発信ＩＤに関連付けてもよい。
【００９２】
さらに、発信ＩＤ又は装置ＩＤに対して異なるシステムのＩＤを重複しないように関連付けておいてもよい。つまり、照明システム用の発信ＩＤとセキュリティシステム用の発信ＩＤとをそれぞれ分けて関連付けておいてもよい。この場合には、例えば発信機４０を設置する場所に応じて照明システムとセキュリティシステムとを使い分けることができる。
【００９３】
［変形例１−４の効果］
上述のように、変形例１−４に係る発信情報活用システム１において、サーバ１００は、発信情報と識別情報との関連付け毎に制御を行う条件を管理し、携帯端末１０から受信した発信情報と識別情報との関連付けに対応する条件を満たす場合、受信した発信情報に関連する識別情報により識別される照明器具５１の制御を照明システム５０に指示する。
【００９４】
これにより、発信情報活用システム１は、複数の他のシステムと適切に関連付けることができる。したがって、発信情報活用システム１は、複数のシステムを連動させることが可能となる。
【００９５】
［変形例１−５］
また、サーバ１００は、外部のシステムから取得した情報に基づいて、照明器具５１の制御を照明システム５０に指示してもよい。図１０は、変形例１−５に係る照明制御を示す概要図である。図１０に示す例においては、サーバ１００は、駐車場を管理するシステムから取得した駐車場内の位置情報や駐車車両の有無を示す情報等に基づいて、照明器具５１の調光を照明システム５０に指示する例を示す。図１０は、例えば、駐車場Ａ１０を天井側から見た概要図である。
【００９６】
図１０に示す例においては、駐車場Ａ１０に照明器具５１−５〜５１−１９，５１−１００〜５１−１１１の２７個の照明器具５１が設置された場合を示す。なお、図１０に図示することは省略するが、照明器具５１−５〜５１−１９，５１−１００〜５１−１１１の各々に対応して２７個の発信機４０が照明器具５１に近接して設置される。
【００９７】
図１０に示す例においては、照明器具５１−１６が設置された位置の駐車スペースが空車であり、その駐車スペースにユーザの車Ｕ１を案内する照明制御を行う場合を示す。例えば、サーバ１００は、駐車場のゲートＧに近接して設置された発信機４０の発信ＩＤを車Ｕ１のユーザの携帯端末１０から受信する。この時、サーバ１００は、照明器具５１−１６が設置された位置の駐車スペースが空車であることを判定し、その駐車スペースへ車Ｕ１を案内するように照明制御を行う。具体的には、サーバ１００は、ゲートＧと照明器具５１−１６が設置された位置の駐車スペースとを結ぶ経路に設置された照明器具５１を、照明システム５０に調光するように指示する。例えば、サーバ１００は、駐車場内の位置情報に基づいてゲートＧと照明器具５１−１６が設置された位置の駐車スペースとを結ぶ経路に設置された照明器具５１を点灯するように照明システム５０に指示する。
【００９８】
図１０に示す例においては、ゲートＧと照明器具５１−１６が設置された位置の駐車スペースとを結ぶ経路に設置された照明器具５１が点灯する。具体的には、ゲートＧと照明器具５１−１６が設置された位置の駐車スペースとを結ぶ経路に設置された６個の照明器具５１−５，５１−６，５１−９，５１−１２，５１−１５，５１−１６が点灯する。これにより、発信情報活用システム１は、車Ｕ１を駐車可能な場所まで案内することができる。つまり、ユーザは、ゲートＧと駐車可能な駐車スペースとを結ぶ経路に設置された照明器具５１が点灯することにより、容易に駐車する場所を見つけることができる。
【００９９】
なお、サーバ１００は、携帯端末１０から発信ＩＤを受信する度に、随時経路を更新して、照明システム５０に照明器具５１を調光するように指示してもよい。例えば、携帯端末１０が照明器具５１−６に近接して設置された発信機４０から受信した発信ＩＤをサーバ１００へ送信した場合、サーバ１００は、車Ｕ１の新たな位置と照明器具５１−１６が設置された位置の駐車スペースとを結ぶ経路に設置されていない照明器具５１を照明システム５０に調光するように指示してもよい。具体的には、携帯端末１０が照明器具５１−６に近接して設置された発信機４０から受信した発信ＩＤをサーバ１００へ送信した場合、サーバ１００は、車Ｕ１の新たな位置と照明器具５１−１６が設置された位置の駐車スペースとを結ぶ経路に設置されていない照明器具５１−５を消灯するように照明システム５０に指示してもよい。この場合、新たなユーザ位置と照明器具５１−１６が設置された位置の駐車スペースとを結ぶ経路に設置された５個の照明器具５１−６，５１−９，５１−１２，５１−１５，５１−１６が点灯する。
【０１００】
また、サーバ１００は、携帯端末１０から発信ＩＤを受信した場合、受信した発信ＩＤに基づく位置情報を携帯端末１０に表示させてもよい。以下では、サーバ１００が、位置情報の一例として、地図情報を携帯端末１０に表示させる場合を説明する。例えば、サーバ１００は、携帯端末１０から発信ＩＤを受信した場合、受信した発信ＩＤに対応する位置発信機４０の設置位置付近の地図情報を表示してもよい。また、サーバ１００は、外部のシステムから取得した情報に基づいて、地図情報を携帯端末１０に表示させてもよい。図１１は、変形例１−５に係る携帯端末の画面表示例を示す図である。図１１に示す例においては、サーバ１００は、駐車場を管理するシステムから取得した駐車場内の地図情報や駐車車両の有無を示す情報等に基づく地図情報を携帯端末１０に表示させる。図１１は、例えば、駐車場Ａ１０を天井側から見た地図情報である。
【０１０１】
図１１に示す例においては、駐車位置Ｐ１１が、駐車場を管理するシステムから取得した情報に基づいて駐車可能と判定された駐車スペースを示す。また、ユーザ位置Ｕ１１が、携帯端末１０がサーバ１００に送信した発信ＩＤに対応する発信機４０の設置位置を示す。図１１に示す例においては、携帯端末１０が照明器具５１−５（図１０参照）に近接する発信機４０から受信した発信ＩＤをサーバ１００に送信した場合を示す。携帯端末１０から発信ＩＤを受信したサーバ１００は、ユーザ位置Ｕ１１と駐車位置Ｐ１１とを結ぶ経路Ｒ１１を携帯端末に表示する。これにより、ユーザは、現在位置から駐車可能な場所までの経路を知ることができ、容易に駐車位置にたどり着くことができる。なお、サーバ１００は、携帯端末１０から発信ＩＤを受信する度に、随時経路情報を更新して携帯端末１０に表示してもよい。
【０１０２】
［変形例１−５の効果］
上述のように、変形例１−５に係る発信情報活用システム１において、サーバ１００は、携帯端末１０から発信情報を受信した場合、外部のシステムから取得した情報に基づいて、照明器具５１の制御を照明システム５０に指示する。
【０１０３】
これにより、発信情報活用システム１は、発信機の発信情報と外部のシステムの情報とに基づいて照明器具５１の調光を行うことにより、より適切な照明の制御を行うことができる。
【０１０４】
また、変形例１−５に係る発信情報活用システム１において、サーバ１００は、携帯端末１０から発信情報を受信した場合、発信情報に対応する位置に基づいた位置情報を携帯端末１０に送信する。
【０１０５】
これにより、発信情報活用システム１は、発信情報に対応する発信機の位置に基づいた位置情報を表示させることにより、より適切な位置情報、例えば地図情報をユーザに提供することができる。
【０１０６】
［変形例１−６］
また、サーバ１００は、携帯端末の端末情報と照明器具とを予め関連付けておいて、発信ＩＤを受信したときに、当該関連付けた照明器具へユーザを案内するようにしてもよい。
【０１０７】
［実施形態２］
次に、実施形態２に係る発信情報活用システム２について、図１２〜図１８に基づいて説明する。実施形態２に係る発信情報活用システム２においては、位置情報管理システム２００と連携する。なお、実施形態１と同一部分には、同一符号を付して説明を省略する。図１２は、実施形態２に係る発信情報活用システムの概略構成を示す図である。図１２では、発信情報活用システム２を所定数の席が設けられた飲食店に適用し、利用可能エリアとして各席を管理し、ユーザに割り当てられた席に基づいて照明を制御する場合を例示する。なお、以下では、実施形態１と同様に照明器具５１の制御の一例として、照明器具５１を調光する場合を示すが、サーバ１００Ａは、サーバ１００と同様に目的に応じて種々の制御方法を適宜選択してもよい。
【０１０８】
実施形態２に係る発信情報活用システム２は、複数の発信機４０−２１，４０−２２，４０−２３，４０−２４と、携帯端末１０と、サーバ１００Ａと、照明システム５０Ａと、位置情報管理システム２００とを具備する。以下では、発信機４０−２１，４０−２２，４０−２３，４０−２４等について、特に区別なく説明する場合には、発信機４０と記載する。例えば、サーバ１００Ａは、携帯端末１０や照明システム５０Ａと所定のネットワークを介して通信可能に接続されている。
【０１０９】
図１２に示す例においては、発信機４０は、天井に複数設置される。また、照明システム５０Ａが有する複数の照明器具５１−２１，５１−２２，５１−２３，５１−２４も天井に設置される。以下では、照明器具５１−２１，５１−２２，５１−２３，５１−２４等について、特に区別なく説明する場合には、照明器具５１と記載する。なお、図１２に示す例においては、発信機４０を天井に設置する場合を示すが、発信機４０は、各々対応する席Ｔ１１〜Ｔ１４の付近に設置してもよい。
【０１１０】
ここで、図１２に示す例では、発信機４０−２１の付近には、照明器具５１−２１が設置される。また、発信機４０−２２の付近には、照明器具５１−２２が設置され、発信機４０−２３の付近には、照明器具５１−２３が設置され、発信機４０−２４の付近には、照明器具５１−２４が設置される。ここに、照明器具５１−２１〜５１−２４は、発信機４０−２１〜４０−２４に各々対応付けられる。
【０１１１】
図１２に示す例において、サーバ１００Ａは、発信情報活用システム２が設置された範囲に席に関する情報を管理する。例えば、サーバ１００Ａは、席Ｔ１１〜Ｔ１４の空席状況を管理する。ここに、図１２に示す例において、サーバ１００Ａは、時点情報管理システム２００から取得した登録キーを、所定の範囲内においてユーザが利用可能なエリアである利用可能エリア（席）に関連する情報と紐付ける。ここで、図１２に示す例では、発信機４０−２１の下方には、席Ｔ１１が位置する。また、発信機４０−２２の下方には、席Ｔ１２が位置し、発信機４０−２３の下方には、席Ｔ１３が位置し、発信機４０−２４の下方には、席Ｔ１４が位置する。ここに、席Ｔ１１−１４は、発信機４０−２１〜４０−２４に各々対応付けられる。なお、サーバ１００Ａによる発信情報活用システム２が設置された範囲における席に関する情報の管理については後述する。
【０１１２】
本実施形態における位置情報管理システム２００には、例えば、ＰＯＳ（point  of  sales）システムと称されるシステムが用いられる。以下では、位置情報管理システム２００をＰＯＳ２００と記載する。図１２に示す例においては、ＰＯＳ２００を構成するストアコントローラ等の図示を省略し、ＰＯＳターミナルのみを図示する。例えば、ＰＯＳ２００は、所定のネットワークを介して、携帯端末１０やサーバ１００Ａと接続される。また、ＰＯＳ２００は、ユーザがＰＯＳターミナルで会計時において、携帯端末１０とサーバ１００Ａとに登録キーを送信する。
【０１１３】
図１２に示すように、ユーザの携帯端末１０はＰＯＳ２００において支払を行う（図１２中の（１））。そして、ＰＯＳ２００は、登録キーＫ２１をサーバ１００Ａへ送信する（図１２中の（２））。ここでいう、登録キーは、例えばＰＯＳ２００が生成する所定の情報であり、支払を行ったユーザに席を割り当てるために使用される。
【０１１４】
ＰＯＳ２００から登録キーを取得したサーバ１００Ａは、席に関する情報に基づき席Ｔ１１〜Ｔ１４の空席状況を確認し、空席がある場合、空席の席に関する情報と取得した登録キーとを紐付け、席に関する情報をＰＯＳ２００へ返信する（図１２中の（３））。例えば、サーバ１００Ａは、席Ｔ１２に関する情報に登録キーを紐付け、席Ｔ１２に関する情報をＰＯＳ２００へ返信する。なお、サーバ１００Ａは、空席がない場合、空席がないことを示す情報をＰＯＳ２００に返信してもよい。この場合、ＰＯＳ２００は、ユーザに空席がないことを通知してもよい。
【０１１５】
席に関する情報を受信したＰＯＳ２００は、登録キーＫ２１を携帯端末１０へ送信する（図１２中の（４））。このとき、ＰＯＳ２００は、サーバ１００Ａから受信した席に関する情報に基づいてユーザに席の場所を通知する。例えば、ＰＯＳ２００の担当者がユーザに口頭で席の場所を通知してもよいし、ＰＯＳ２００は、携帯端末１０に席の位置を表示させてもよい。
【０１１６】
その後、席Ｔ１２付近まで移動したユーザの携帯端末１０は、発信機４０−２２が発信する発信ＩＤを受信する（図１２中の（５））。そして、携帯端末１０は、例えばユーザの操作に応じて、発信機４０−２２から受信した発信ＩＤと登録キーとをサーバ１００Ａへ送信する（図１２中の（６））。
【０１１７】
サーバ１００Ａは、携帯端末１０から発信ＩＤと登録キーとを受信した場合、発信ＩＤと登録キーとが、ユーザに割り当てた席に対応する場合、受信した発信ＩＤに関連する照明ＩＤにより識別される照明器具５１を調光するように照明システム５０Ａに指示する（図１２中の（７））。例えば、サーバ１００Ａは、携帯端末１０から受信した登録キーとＰＯＳ２００から取得した登録キーが一致し、携帯端末１０から受信した発信ＩＤが席Ｔ１２に対応する発信機４０の発信ＩＤである場合、受信した発信ＩＤにより識別される発信機４０に対応する照明器具５１を調光するように照明システム５０Ａに指示する。具体的には、サーバ１００Ａは、受信した発信ＩＤが席Ｔ１２に対応する発信機４０−２２の発信ＩＤであり、受信した登録キーが席Ｔ１２に紐付けた登録キーＫ２１である場合、発信機４０−２２に対応する照明器具５１−２２を調光するように照明システム５０Ａに指示する。
【０１１８】
サーバ１００Ａから調光の指示を受け付けた照明器具５１−２２では、制御部により光源から放射する光が調光される（図１２中の（８））。具体的には、サーバ１００Ａは、照明器具５１−２２の光源を点灯するように照明システム５０Ａに指示する。これにより、席を割り当てられたユーザが、割り当てられた席の付近に位置した場合に、割り当てられた席に対応する照明器具５１を点灯させることができる。つまり、席を割り当てられていないユーザが席についても照明器具５１は点灯しないため、ユーザに対して適切な席の割当サービスを提供できるとともに、照明器具５１の電力消費を抑制することができる。
【０１１９】
なお、サーバ１００Ａが、登録キーの発行をおこなってもよい。この場合、ＰＯＳ２００は、ユーザが支払いを行った際に、サーバ１００Ａへ席の確保を要求する。ＰＯＳ２００から席の確保を要求されたサーバ１００Ａは、空席がある場合、登録キーを発行する。そして、サーバ１００Ａは、空席の席に関する情報と発行した登録キーとを紐付け、席に関する情報を携帯端末１０へ送信する。その後、発信情報活用システム２においては、図１２中の（５）〜（８）と同じ処理を行う。
【０１２０】
また、発信情報活用システム２が設置された範囲における席に関する情報の管理については、ＰＯＳ２００や他の外部システムが行ってもよい。例えば、ＰＯＳ２００が発信情報活用システム２が設置された範囲の席に関する情報を管理する場合、ＰＯＳ２００は、登録キーをサーバ１００Ａへ送信する際に、席の位置情報をサーバ１００Ａへ送信する。席の位置情報を受信したサーバ１００Ａは、受信した席の位置情報に対応する発信機４０の発信ＩＤに登録キーを紐付ける。この場合、サーバ１００Ａは、携帯端末１０から受信した発信ＩＤと登録キーとが紐づけられていれば、受信した発信ＩＤに関連する照明ＩＤにより識別される照明器具５１を調光するように照明システム５０Ａに指示する。
【０１２１】
また、例えば、ＰＯＳ２００が発信情報活用システム２が設置された範囲に席に関する情報を管理する場合、ＰＯＳ２００は、登録キーをサーバ１００Ａへ送信する際に、ユーザに割り当てた席に対応する発信機４０の発信ＩＤをサーバ１００Ａへ送信してもよい。登録キーと発信ＩＤとを受信したサーバ１００Ａは、受信した発信ＩＤに登録キーを紐付ける。この場合、サーバ１００Ａは、携帯端末１０から受信した発信ＩＤと登録キーとが紐づけられていれば、受信した発信ＩＤに関連する照明ＩＤにより識別される照明器具５１を調光するように照明システム５０Ａに指示する。
【０１２２】
また、例えば、ＰＯＳ２００が発信情報活用システム２が設置された範囲に席に関する情報を管理する場合、ＰＯＳ２００は、登録キーをサーバ１００Ａへ送信する際に、ユーザに割り当てた席に対応する照明器具５１の照明ＩＤをサーバ１００Ａへ送信してもよい。ＰＯＳ２００から登録キーと照明ＩＤとを受信したサーバ１００Ａは、受信した照明ＩＤに登録キーを紐付ける。この場合、サーバ１００Ａは、携帯端末１０から受信した発信ＩＤに関連する照明ＩＤと携帯端末１０から受信した登録キーとが紐づけられていれば、携帯端末１０から受信した発信ＩＤに関連する照明ＩＤにより識別される照明器具５１を調光するように照明システム５０Ａに指示する。また、ＰＯＳ２００から登録キーと照明ＩＤとを受信したサーバ１００Ａは、受信した照明ＩＤに関連する発信ＩＤに登録キーを紐付けてもよい。この場合、サーバ１００Ａは、携帯端末１０から受信した発信ＩＤと登録キーとが紐づけられていれば、携帯端末１０から受信した発信ＩＤに関連する照明ＩＤにより識別される照明器具５１を調光するように照明システム５０Ａに指示する。
【０１２３】
また、他の外部システムが、発信情報活用システム２が設置された範囲における席に関する情報を管理する場合は、サーバ１００ＡかＰＯＳ２００のいずれかが他の外部システムに空席状況を問い合わせてもよい。サーバ１００Ａは、他の外部システムから取得された席の位置情報に基づいて、上記と同様の処理を行う。例えば、サーバ１００Ａから空席状況の問い合わせを受け付けた他の外部システムは、ユーザに割り当てた席の位置情報をサーバ１００Ａへ送信する。この場合、サーバ１００Ａは、他の外部システムから受信した位置情報に対応する発信機４０の発信ＩＤに登録キーを紐付ける。また、例えば、サーバ１００Ａから空席状況の問い合わせを受け付けた他の外部システムは、ユーザに割り当てた席に対応する発信ＩＤや照明ＩＤをサーバ１００Ａへ送信してもよい。この場合、サーバ１００Ａは、他の外部システムから受信した発信ＩＤや照明ＩＤに登録キーを紐付ける。他の外部システムから発信ＩＤを受信した場合、サーバ１００Ａは、携帯端末１０から受信した発信ＩＤと登録キーとが紐づけられていれば、携帯端末１０から受信した発信ＩＤに関連する照明ＩＤにより識別される照明器具５１を調光するように照明システム５０Ａに指示する。また、他の外部システムから照明ＩＤを受信した場合、サーバ１００Ａは、携帯端末１０から受信した発信ＩＤに関連する照明ＩＤと携帯端末１０から受信した登録キーとが紐づけられていれば、携帯端末１０から受信した発信ＩＤに関連する照明ＩＤにより識別される照明器具５１を調光するように照明システム５０Ａに指示する。
【０１２４】
また、発信情報活用システム２が設置された範囲に席が空席かどうかの判定については、種々の従来技術を適宜用いる。例えば、発信情報活用システム２が設置された範囲を撮像する画像に基づいて判定してもよい。また、各席の椅子に設置した圧力センサからの出力に基づいて席が空席かどうかを判定してもよい。サーバ１００Ａは、外部システムから上記の情報を取得して、発信情報活用システム２が設置された範囲に席が空席かどうかを判定してもよい。さらに、登録キーに有効期間を設けておき、所定時間経過したときには消灯し、空席と判断するようにしてもよい。
【０１２５】
次に、図１３を用いて、実施形態２に係るサーバ１００Ａの構成について説明する。図１３は、実施形態２に係るサーバの構成を示すブロック図である。図１３に示すように、サーバ１００Ａは、記憶部１２０Ａに席情報記憶部１２２を有する点において、サーバ１００と相違する。
【０１２６】
実施形態２に係る記憶部１２０Ａは、図１３に示すように、発信機情報記憶部１２１Ａと席情報記憶部１２２とを有する。
【０１２７】
発信機情報記憶部１２１Ａは、発信機４０に関する情報を記憶する。図１４は、実施形態２に係る発信機情報記憶部に記憶される情報の一例を示す図である。具体的には、図１４は、発信機情報記憶部１２１Ａに記憶される発信機４０に関する情報の一例を示す。図１４に示すように、発信機情報記憶部１２１Ａは、発信機４０に関する情報として、「装置ＩＤ」、「発信ＩＤ」、「対応照明１」、及び「対応照明２」といった項目を有する。なお、図３に示す発信機情報記憶部１２１と同様の項目については、説明を省略する。
【０１２８】
例えば、図１４の例は、装置ＩＤ「Ｍ２１」により識別される発信機４０には、照明ＩＤ「Ｌ２１」により識別される照明器具５１が対応付けられる。図１２に示す例においては、発信機４０−２１が装置ＩＤ「Ｍ２１」により識別される発信機４０に対応し、照明器具５１−２１が照明ＩＤ「Ｌ２１」により識別される照明器具５１に対応する。また、図１４の例は、装置ＩＤ「Ｍ２２」により識別される発信機４０には、照明ＩＤ「Ｌ２２」により識別される照明器具５１が対応付けられる。図１２に示す例においては、発信機４０−２２が装置ＩＤ「Ｍ２２」により識別される発信機４０に対応し、照明器具５１−２２が照明ＩＤ「Ｌ２２」により識別される照明器具５１に対応する。
【０１２９】
席情報記憶部１２２は、席に関する情報を記憶する。図１５は、実施形態２に係る席情報記憶部に記憶される情報の一例を示す図である。図１５に示すように、席情報記憶部１２２は、席に関する情報として、「席ＩＤ」、「対応発信ＩＤ」、「状態」、「登録キー」といった項目を有する。例えば、席情報記憶部１２２は、図１２中の（２）においてＰＯＳ２００が登録キーＫ２１をサーバ１００Ａへ送信する前の状態の席情報記憶部を示す。
【０１３０】
「席ＩＤ」は、席を識別するための発信情報を示す。「対応発信ＩＤ」は、席ＩＤにより識別される席に対応する発信機４０が発信する発信ＩＤを示す。「状態」は、席ＩＤにより識別される席の状態を示す。「登録キー」は、席ＩＤにより識別される席に紐付けられた登録キーを示す。
【０１３１】
例えば、図１５の例は、席ＩＤ「Ｔ１１」により識別される席は、対応発信ＩＤ「Ｂ２１」と対応付けられていることを示す。席ＩＤ「Ｔ１１」により識別される席は、状態が利用中であり、登録キー「Ｋ１１５」が割り当てられたユーザが利用していることを示す。
【０１３２】
また、図１５の例は、席ＩＤ「Ｔ１２」により識別される席は、対応発信ＩＤ「Ｂ２２」と対応付けられていることを示す。席ＩＤ「Ｔ１２」により識別される席は、状態が空席であり、登録キーが割り当てられていないことを示す。
【０１３３】
図１６は、実施形態２に係る席情報記憶部に記憶される情報の一例を示す図である。図１６に示す席情報記憶部１２２−１は、例えば、図１２中の（２）においてＰＯＳ２００が登録キーＫ２１をサーバ１００Ａへ送信した後の状態の席情報記憶部を示す。なお、図１５に示す席情報記憶部１２２と同様の項目については、説明を省略する。
【０１３４】
図１６の例においては、席ＩＤ「Ｔ１２」により識別される席に、登録キー「Ｋ２１」が割り当てられたことを示す。また、図１６の例においては、席ＩＤ「Ｔ１２」により識別される席にユーザが到達していないため、状態は空席のままである。
【０１３５】
図１７は、実施形態２に係る席情報記憶部に記憶される情報の一例を示す図である。図１７に示す席情報記憶部１２２−２は、例えば、図１２中の（６）において携帯端末１０が発信ＩＤ「Ｂ２２」と登録キー「Ｋ２１」とをサーバ１００Ａへ送信した後の状態の席情報記憶部を示す。なお、図１５に示す席情報記憶部１２２と同様の項目については、説明を省略する。
【０１３６】
図１７の例においては、席ＩＤ「Ｔ１２」により識別される席の状態が利用中であり、登録キー「Ｋ２１」が割り当てられたユーザが利用していることを示す。つまり、図１７の例においては、携帯端末１０を所有するユーザが席Ｔ１２に到達しており、席Ｔ１２を利用していることを示す。このように、サーバ１００Ａは、席情報記憶部の情報を更新することにより、発信情報活用システム２が設置された範囲の席の空席状況を管理する。なお、発信情報活用システム２が設置された範囲に席に関する情報の管理をＰＯＳ２００や他の外部システムが行う場合、サーバ１００Ａは、席情報記憶部を有さなくてもよい。
【０１３７】
受信部１３１は、ＰＯＳ２００から登録キーを受信する。また、受信部１３１は、空席がある場合、空席の席に関する情報と受信した登録キーとを紐付ける。また、受信部１３１は、携帯端末１０から発信ＩＤとともに登録キーを受信する。抽出部１３２は、受信部１３１により受信した発信ＩＤと登録キーとがユーザに割り当てた席に対応する場合、受信した発信ＩＤに関連付けられた照明ＩＤを抽出する。送信部１３３は、登録キーを紐付けた席に関する情報をＰＯＳ２００へ返信する。
【０１３８】
また、実施形態２に係る携帯端末１０において、受信部１６は、ＰＯＳ２００から登録キーを受信する。送信部１７は、発信ＩＤとともに登録キーをサーバ１００Ａへ送信する。
【０１３９】
［発信情報活用システムによる処理］
次に、図１８を用いて、実施形態２に係る発信情報活用システム２による発信情報活用処理を説明する。図１８は、実施形態２に係る発信情報活用システムにおける発信情報活用処理の手順を示すシーケンス図である。
【０１４０】
図１８に示すように、ユーザの携帯端末１０はＰＯＳ２００において支払を行う（ステップＳ２０１）。そして、ＰＯＳ２００は、登録キーＫ２１をサーバ１００Ａへ送信する（ステップＳ２０２）。ＰＯＳ２００から登録キーを受信したサーバ１００Ａは、空席がある場合、空席の席に関する情報と受信した登録キーとを紐付け、登録キーを紐付けた席に関する情報をＰＯＳ２００へ返信する（ステップＳ２０３）。
【０１４１】
席に関する情報を受信したＰＯＳ２００は、サーバ１００Ａへ送信した登録キーを携帯端末１０へ送信する（ステップＳ２０４）。その後、割り当てられた席まで移動したユーザの携帯端末１０は、割り当てられた席に対応する発信機４０が発信する発信ＩＤを受信する（ステップＳ２０５）。そして、携帯端末１０は、例えばユーザの操作に応じて、受信した発信ＩＤと登録キーとをサーバ１００Ａへ送信する（ステップＳ２０６）。
【０１４２】
サーバ１００Ａは、携帯端末１０から発信ＩＤと登録キーとを受信した場合、登録キーの照会を行う（ステップＳ２０７）。例えば、サーバ１００Ａは、受信した発信ＩＤと登録キーとが、割り当てられた席に対応するかどうかを判定する。サーバ１００Ａは、受信した発信ＩＤと登録キーとが、ユーザに割り当てた席に対応する場合、受信した発信ＩＤに関連付けられた照明ＩＤにより識別される照明器具５１を調光するように照明システム５０Ａに指示する（ステップＳ２０８）。そして、サーバ１００Ａから調光の指示を受け付けた照明器具５１は、光源を点灯する（ステップＳ２０９）。
【０１４３】
［実施形態２の効果］
上述のように、実施形態２に係る発信情報活用システム２は、複数の発信機４０と、携帯端末１０とを具備する。複数の発信機４０は、各々に割り当てられた発信情報を発信する。また、携帯端末１０は、複数の発信機４０から発信される発信情報を受信する。また、サーバ１００Ａは、所定のシステムが管理する対象を識別する識別情報と発信情報とを関連付けることにより、携帯端末１０から発信情報を受信した場合、受信した発信情報に関連する識別情報により識別される対象に関する処理を、所定のシステムに指示する。
【０１４４】
これにより、発信情報活用システム２は、他のシステムと適切に関連付けることができる。
【０１４５】
また、実施形態２に係る発信情報活用システム２において、所定のシステムは、識別情報により識別される複数の照明器具５１を管理する照明システム５０Ａである。また、サーバ１００Ａは、携帯端末１０から発信情報を受信した場合、受信した発信情報に関連する識別情報により識別される照明器具５１の制御を照明システム５０Ａに指示する。
【０１４６】
これにより、発信情報活用システム２においては、他のシステムである照明システム５０Ａと適切に関連付けることができる。具体的には、発信情報活用システム２においては、照明システム５０Ａと適切に関連付けることにより、照明システム５０Ａの照明器具５１を制御することができる。
【０１４７】
また、実施形態２に係る発信情報活用システム２において、サーバ１００Ａは、販売時点情報管理システム２００から、所定の範囲内においてユーザが利用可能なエリアである利用可能エリアに関連する情報と紐付けられる登録キーを取得する。携帯端末１０は、販売時点情報管理システム２００から登録キーを取得する。サーバ１００Ａは、携帯端末１０から登録キーと利用可能エリアに対応する発信情報とを受信した場合、受信した発信情報に関連する識別情報により識別される照明器具５１の制御を照明システム５０に指示する。
【０１４８】
これにより、発信情報活用システム２においては、利用可能エリア（実施形態２においては、席）を割り当てられたユーザが、割り当てられた利用可能エリアに位置した場合に、割り当てられた利用可能エリアに対応する照明器具５１を点灯させることができる。つまり、利用可能エリアを割り当てられていないユーザが利用可能エリアに位置しても照明器具５１は点灯しないため、ユーザに対して適切な利用可能エリアの割当サービスを提供できるとともに、照明器具５１の電力消費を抑制することができる。
【０１４９】
［変形例２−１］
また、サーバ１００Ａは、ユーザの位置から利用可能エリアまでの経路に設置された照明器具５１の制御を照明システム５０Ａに指示してもよい。図１９は、変形例２−１に係る照明制御を示す概要図である。図１９は、例えば、飲食店Ａ２０を天井側から見た概要図である。図１９に示す例においては、飲食店Ａ２０に照明器具５１−２１〜５１−２９，５１−２０１〜５１−２０６の１５個の照明器具５１が設置された場合を示す。なお、図１９に図示することは省略するが、照明器具５１−２１〜５１−２９，５１−２０１〜５１−２０６の各々に対応して１５個の発信機４０が照明器具５１に近接して設置される。
【０１５０】
図１９に示す例においては、利用可能エリアである席Ｔ１２までユーザＵ２１を案内する照明制御を行う場合を示す。例えば、サーバ１００Ａは、ＰＯＳ２００に近接して設置された発信機４０の発信ＩＤをユーザＵ２１の携帯端末１０から受信する。このとき、サーバ１００Ａは、ＰＯＳ２００と席Ｔ１２とを結ぶ経路に設置された照明器具５１を、照明システム５０Ａに調光するように指示する。
【０１５１】
図１９に示す例においては、ＰＯＳ２００と席Ｔ１２とを結ぶ経路に設置された照明器具５１が点灯する。具体的には、ＰＯＳ２００と席Ｔ１２とを結ぶ経路に設置された５個の照明器具５１−２６〜５１−２９，５１−２０６が点灯する。なお、席Ｔ１２に対応する照明器具５１−２２は、ユーザが席に到達した後に点灯させるため、ＰＯＳ２００と席Ｔ１２とを結ぶ経路に設置された照明器具５１に含まれなくてもよい。また、席Ｔ１２に対応する照明器具５１−２２を点灯させるなど、ＰＯＳ２００と席Ｔ１２とを結ぶ経路に設置された他の照明器具５１を異なる調光を行ってもよい。これにより、発信情報活用システム２は、ユーザＵ２１を割り当てた席Ｔ１２まで案内することができる。つまり、ユーザＵ２１は、ＰＯＳ２００と席Ｔ１２とを結ぶ経路に設置された照明器具５１が点灯することにより、容易に自身が割り当てられた席を見つけることができる。
【０１５２】
なお、サーバ１００Ａは、携帯端末１０から発信ＩＤを受信する度に、随時経路を更新して、照明システム５０Ａに照明器具５１を調光するように指示してもよい。例えば、携帯端末１０が照明器具５１−２６に近接して設置された発信機４０から受信した発信ＩＤをサーバ１００Ａへ送信した場合、サーバ１００Ａは、ユーザＵ２１の新たな位置と席Ｔ１２とを結ぶ経路に設置されていない照明器具５１を照明システム５０Ａに調光するように指示してもよい。具体的には、携帯端末１０が照明器具５１−２６に近接して設置された発信機４０から受信した発信ＩＤをサーバ１００Ａへ送信した場合、サーバ１００Ａは、ユーザＵ２１の新たな位置と席Ｔ１２とを結ぶ経路に設置されていない照明器具５１−２０６を消灯するように照明システム５０Ａに指示してもよい。この場合、ユーザＵ２１の新たな位置と席Ｔ１２とを結ぶ経路に設置された４個の照明器具５１−２６〜５１−２９が点灯する。
【０１５３】
また、サーバ１００Ａは、携帯端末１０から発信ＩＤを受信した場合、受信した発信ＩＤに基づく位置情報を携帯端末１０に表示させてもよい。以下では、サーバ１００Ａが、位置情報の一例として、地図情報を携帯端末１０に表示させる場合を説明する。図２０は、変形例２−１に係る携帯端末の画面表示例を示す図である。図２０は、例えば、飲食店Ａ２０を天井側から見た地図情報である。例えば、サーバ１００Ａは、携帯端末１０から発信ＩＤを受信した場合、受信した発信ＩＤに対応する発信機４０の設置位置付近の地図情報を表示してもよい。図２０に示す例においては、利用可能エリアＰ２１が席Ｔ１２を対応する。また、ユーザ位置Ｕ２１が、携帯端末１０がサーバ１００Ａに送信した発信ＩＤに対応する発信機４０の設置位置を示す。携帯端末１０から発信ＩＤを受信したサーバ１００Ａは、ユーザ位置Ｕ２１と利用可能エリアＰ２１とを結ぶ経路Ｒ２１を携帯端末に表示する。これにより、ユーザは、現在位置から利用可能エリアである席Ｔ１２までの経路を知ることができ、容易に席Ｔ１２にたどり着くことができる。なお、サーバ１００Ａは、携帯端末１０から発信ＩＤを受信する度に、随時経路情報を更新して携帯端末１０に表示してもよい。
【０１５４】
また、サーバ１００Ａは、ＰＯＳ２００に複数のレジがある場合、レジの付近に設置された発信ＩＤを送信する携帯端末１０の数に基づいて、どのレジが空いているかを判断し、他の携帯端末１０に空いているレジを示す情報を送信してもよい。なお、サーバ１００Ａは、携帯端末１０の要求に応じて、携帯端末１０に空いているレジを示す情報を送信してもよい。
【０１５５】
［変形例２−１の効果］
上述のように、変形例２−１に係る発信情報活用システム２において、サーバ１００Ａは、携帯端末１０から発信情報を受信した場合、発信情報に対応する位置に基づいた位置情報を携帯端末１０に送信する。
【０１５６】
これにより、発信情報活用システム２は、発信情報に対応する発信機の位置に基づいた位置情報を表示させることにより、より適切な位置情報、例えば地図情報をユーザに提供することができる。
【０１５７】
また、変形例２−１に係る発信情報活用システム２において、サーバ１００Ａは、携帯端末１０から発信情報を受信した場合、発信情報に対応する位置から所定の目的地までの経路に関する位置情報を携帯端末１０に送信する。
【０１５８】
これにより、サーバ１００Ａが発信情報に対応する発信機の位置と所定の目的地であり利用可能エリアとを結ぶ経路を携帯端末に表示することにより、ユーザは、現在位置から利用可能エリアまでの経路を知ることができ、容易に利用可能エリアにたどり着くことができる。
【０１５９】
［実施形態３］
次に、実施形態３に係る発信情報活用システム３について、図２１〜図２７に基づいて説明する。以下に説明する実施形態３に係る発信情報活用システム３においては、発信ＩＤを変更可能に発信する発信機４０Ａが用いられる。なお、実施形態１と同一部分には、同一符号を付して説明を省略する。図２１は、実施形態３に係る発信情報活用システムの概略構成を示す図である。図２１では、発信情報活用システム３を食料品店に適用し、発信ＩＤを変更することにより照明を制御する場合を例示する。なお、以下では、実施形態１と同様に照明器具５１の制御の一例として、照明器具５１を調光する場合を示すが、サーバ１００Ｂは、サーバ１００と同様に目的に応じて種々の制御方法を適宜選択してもよい。
【０１６０】
実施形態３に係る発信情報活用システム３は、複数の発信機４０Ａ−１，４０Ａ−２と、携帯端末１０と、サーバ１００Ｂと、照明システム５０Ｂとを具備する。以下では、発信機４０Ａ−１，４０Ａ−２等について、特に区別なく説明する場合には、発信機４０Ａと記載する。例えば、サーバ１００Ｂは、携帯端末１０や、発信機４０Ａや、照明システム５０Ｂと所定のネットワークを介して通信可能に接続されている。なお、サーバ１００Ｂは、発信ＩＤの各々を照明器具５１の調光方法と関連付けて管理するが、詳細は後述する。
【０１６１】
発信機４０Ａは、例えば、定期的に電波（情報）を発信するビーコンの機能を有するデバイスである。また、発信機４０Ａは、割り当てられた発信情報である発信ＩＤを変更する指示を受け付けた場合、発信ＩＤを新たな発信ＩＤに変更する。この場合、発信機４０Ａは、新たな発信ＩＤを発信する。図２１に示す例においては、発信機４０Ａは、食料品店の天井に複数設置される。なお、図２１に示す例においては、発信機４０Ａを天井に設置する場合を示すが、発信機４０Ａは、各々対応する売り場の付近に設置してもよい。
【０１６２】
また、照明システム５０Ｂが有する複数の照明器具５１−３１，５１−３２も天井に設置される。以下では、照明器具５１−３１，５１−３２等について、特に区別なく説明する場合には、照明器具５１と記載する。ここで、図２１に示す例では、発信機４０Ａ−１の付近には、照明器具５１−３１が設置され、発信機４０Ａ−２の付近には、照明器具５１−３２が設置される。ここに、照明器具５１−３１は、発信機４０Ａ−１に対応付けられ、照明器具５１−３２は、発信機４０Ａ−２に対応付けられる。
【０１６３】
図２１の左側には、発信ＩＤを変更前の発信情報活用システム３を示す。発信ＩＤを変更前においては、発信機４０Ａ−１が発信ＩＤ「Ｂ３１」を発信し、発信機４０Ａ−２が発信ＩＤ「Ｂ３２」を発信する。ここで、各照明器具５１は、サーバ１００Ｂが管理する発信ＩＤの各々を関連付けて調光方法に基づいて調光される。図２１に示す例においては、発信ＩＤ「Ｂ３１」を発信する発信機４０Ａ−１に対応する照明器具５１−３１は、肉売り場用に設定された光ＬＴ１を出力するように調光される。図２１に示す例においては、発信ＩＤ「Ｂ３２」を発信する発信機４０Ａ−２に対応する照明器具５１−３２は、野菜売り場用に設定された光ＬＴ２を出力するように調光される。
【０１６４】
ここで、図２１の右側に示す発信ＩＤを変更後の発信情報活用システム３を用いて、発信機４０Ａが発信する発信ＩＤを変更した場合について説明する。発信機４０Ａ−１は、発信ＩＤを変更する指示を受け付けた場合、発信ＩＤを新たな発信ＩＤに変更する（図２１中の（１））。具体的には、発信機４０Ａ−１は、発信ＩＤ「Ｂ３１」から発信ＩＤ「Ｂ３３」に変更する指示を受け付けた場合、発信ＩＤ「Ｂ３１」から発信ＩＤ「Ｂ３３」に変更する。なお、発信機４０Ａ−１に対する発信ＩＤを変更する指示は、例えば、サーバ１００Ｂが行ってもよいし、携帯端末１０が行ってもよい。
【０１６５】
その後、ユーザの携帯端末１０は、発信機４０Ａ−１が発信する発信ＩＤ「Ｂ３３」を受信する（図２１中の（２））。そして、携帯端末１０は、例えばユーザの操作に応じて、発信機４０Ａ−２から受信した発信ＩＤ「Ｂ３３」をサーバ１００Ｂへ送信する（図２１中の（３））。
【０１６６】
サーバ１００Ｂは、携帯端末１０から発信ＩＤ「Ｂ３３」を受信した場合、受信した発信ＩＤ「Ｂ３３」に関連付けられた照明ＩＤにより識別される照明器具５１を調光するように照明システム５０Ｂに指示する（図２１中の（４））。図２１に示す例においては、サーバ１００Ｂは、発信ＩＤ「Ｂ３３」を発信する発信機４０Ａ−１に対応付けられた照明器具５１−３１を調光するように照明システム５０Ｂに指示する。そして、発信ＩＤ「Ｂ３３」を発信する発信機４０Ａ−１に対応する照明器具５１−３１は、魚売り場用に設定された光ＬＴ３を出力するように調光される（図２１中の（５））。例えば、図２１に示す携帯端末１０を所有するユーザは、発信情報活用システム３を設置した食料品店の担当者等である。例えば、担当者が所有する携帯端末１０は、発信ＩＤが変更された発信機４０Ａ−１から受信した発信ＩＤをサーバ１００Ｂへ送信することにより、発信機４０Ａ−１に対応する照明器具５１の調光を変更することができる。このように、発信情報活用システム３においては、発信機４０Ａの発信ＩＤを変更することにより、照明器具５１の調光を簡単に変更することができる。
【０１６７】
次に、図２２を用いて、実施形態３に係るサーバ１００Ｂの構成について説明する。図２２は、実施形態３に係るサーバの構成を示すブロック図である。図２２に示すように、サーバ１００Ｂは、記憶部１２０Ｂに照明設定記憶部１２３を有する点において、サーバ１００と相違する。
【０１６８】
実施形態３に係る記憶部１２０Ｂは、図２２に示すように、発信機情報記憶部１２１Ｂと照明設定記憶部１２３とを有する。
【０１６９】
発信機情報記憶部１２１Ｂは、発信機４０Ａに関する情報を記憶する。図２３は、実施形態３に係る発信機情報記憶部に記憶される情報の一例を示す図である。具体的には、図２３は、発信機情報記憶部１２１Ｂに記憶される発信機４０Ａに関する情報の一例を示す。図２３に示すように、発信機情報記憶部１２１Ｂは、発信機４０Ａに関する情報として、「装置ＩＤ」、「発信ＩＤ」、「対応照明１」、及び「対応照明２」といった項目を有する。なお、図３に示す発信機情報記憶部１２１と同様の項目については、説明を省略する。
【０１７０】
図２３に示す例においては、装置ＩＤ「Ｍ３１」により識別される発信機４０Ａは、発信ＩＤ「Ｂ３１」を発信することを示し、装置ＩＤ「Ｍ３２」により識別される発信機４０Ａは、発信ＩＤ「Ｂ３２」を発信することを示す。また、図２３の例は、装置ＩＤ「Ｍ３１」により識別される発信機４０Ａには、照明ＩＤ「Ｌ３１」により識別される照明器具５１が対応付けられる。図２１に示す例においては、発信機４０Ａ−１が装置ＩＤ「Ｍ３１」により識別される発信機４０Ａに対応し、照明器具５１−３１が照明ＩＤ「Ｌ３１」により識別される照明器具５１に対応する。また、図２３の例は、装置ＩＤ「Ｍ３２」により識別される発信機４０Ａには、照明ＩＤ「Ｌ３２」により識別される照明器具５１が対応付けられる。図２１に示す例においては、発信機４０Ａ−２が装置ＩＤ「Ｍ３２」により識別される発信機４０Ａに対応し、照明器具５１−３２が照明ＩＤ「Ｌ３２」により識別される照明器具５１に対応する。
【０１７１】
照明設定記憶部１２３は、各発信ＩＤに関連付けられた照明器具５１の調光方法に関する情報を記憶する。図２４は、実施形態３に係る照明設定記憶部に記憶される情報の一例を示す図である。図２４に示すように、照明設定記憶部１２３は、各発信ＩＤに関連付けられた照明器具５１の調光方法に関する情報として、「発信ＩＤ」、「売り場」、「設定」といった項目を有する。
【０１７２】
「発信ＩＤ」は、照明器具５１の調光方法が関連付けられる発信ＩＤを示す。「売り場」は、発信ＩＤに対応付けられる食料品店の売り場を示す。「設定」は、発信ＩＤに対応する照明器具５１の調光方法を示す。
【０１７３】
図２４の例は、発信ＩＤ「Ｂ３１」には、売り場「肉」が関連付けられ、照明器具５１の調光方法を示す設定「シーン１」が関連付けられる。「シーン１」は、光出力が８０％で色温度が３０００Ｋに設定される調光方法である。つまり、図２４の例は、発信ＩＤ「Ｂ３１」には、食料品店の肉売り場が対応付けられ、その調光方法は設定「シーン１」であることを示す。また、図２４の例は、発信ＩＤ「Ｂ３２」には、売り場「野菜」が関連付けられ、照明器具５１の調光方法を示す設定「シーン２」が関連付けられる。「シーン２」は、光出力が７０％で色温度が４０００Ｋに設定される調光方法である。
【０１７４】
次に、図２５を用いて、実施形態３に係る発信機４０Ａの構成について説明する。図２５は、実施形態３に係る発信機の構成を示すブロック図である。図２５に示すように、発信機４０Ａは、通信部４５を備え、制御部４３に受付部４６と変更部４７とを有する点において、発信機４０と相違する。
【０１７５】
通信部４５は、例えばＮＩＣによって実現される。通信部４５は、図示しない所定のネットワークと有線又は無線で接続される。そして、通信部４５は、図示しない所定のネットワークを介して、サーバ１００Ｂや携帯端末１０との間で情報の送受信を行う。
【０１７６】
受付部４６は、所定の外部装置から発信ＩＤの変更を受け付ける。例えば、受付部４６は、設定用の端末等から照明器具５１のシーンの変更を受け付けたサーバ１００Ｂから発信ＩＤの変更を受け付ける。
【０１７７】
変更部４７は、受付部４６により発信ＩＤの変更が受け付けられた場合、発信ＩＤを新たな発信ＩＤに変更する。例えば、変更部４７は、受付部４６により発信ＩＤの変更が受け付けられた場合、記憶部４２に記憶された発信ＩＤを新たな発信ＩＤに変更する。
【０１７８】
図２６は、実施形態３に係る発信機における発信ＩＤの変更の一例を示す図である。図２６の左側は、発信ＩＤの変更前の記憶部４２を示し、図２６の右側は、発信ＩＤの変更後の記憶部４２−１を示す。図２６の発信ＩＤの変更前は、図２１における発信ＩＤの変更前の発信機４０Ａ−１に対応し、記憶部４２には発信ＩＤ「Ｂ３１」が記憶される。図２６の発信ＩＤの変更後は、図２１における発信ＩＤの変更後の発信機４０Ａ−１に対応し、記憶部４２−１には、発信ＩＤ「Ｂ３３」が記憶される。このように、発信機４０Ａは、発信ＩＤを変更することが可能である。
【０１７９】
［発信情報活用システムによる処理］
次に、図２７を用いて、実施形態３に係る発信情報活用システム３による発信情報活用処理を説明する。図２７は、実施形態３に係る発信情報活用システムにおける発信情報活用処理の手順を示すシーケンス図である。
【０１８０】
図２７に示すように、発信機４０Ａは、発信情報を変更する（ステップＳ３０１）。例えば、発信機４０Ａは、サーバ１００Ｂから発信ＩＤの変更を受け付けた場合、発信情報を変更する。例えば、発信機４０Ａは、発信ＩＤ「Ｂ３１」から発信ＩＤ「Ｂ３３」に変更する指示を受け付けた場合、発信ＩＤ「Ｂ３１」から発信ＩＤ「Ｂ３３」に変更する。
【０１８１】
その後、携帯端末１０は、発信機４０Ａから発信情報を受信する（ステップＳ３０２）。例えば、携帯端末１０は、発信機４０Ａから発信ＩＤを受信する。そして、発信機４０から発信情報を受信した携帯端末１０は、受信した発信情報をサーバ１００Ｂへ送信する（ステップＳ３０３）。例えば、発信機４０Ａから発信ＩＤを受信した携帯端末１０は、受信した発信ＩＤをサーバ１００Ｂへ送信する。
【０１８２】
そして、サーバ１００Ｂは、発信情報を受信した場合、発信情報に対応する照明器具５１を対象照明として抽出する（ステップＳ３０４）。例えば、サーバ１００Ｂは、携帯端末１０から発信ＩＤを受信した場合、受信した発信ＩＤに関連する照明ＩＤを抽出する。
【０１８３】
その後、サーバ１００Ｂは、抽出した照明ＩＤにより識別される照明器具５１の調光を指示する（ステップＳ３０５）。例えば、サーバ１００は、抽出した照明ＩＤにより識別される照明器具５１に調光を指示する情報を送信する。例えば、サーバ１００Ｂは、抽出した照明ＩＤにより識別される照明器具５１に点灯を指示する情報を送信する。そして、サーバ１００Ｂから調光の指示を受け付けた照明器具５１は、サーバ１００Ｂからの指示の内容に基づいて、光源を調光する（ステップＳ３０６）。
【０１８４】
なお、図２１〜図２７に示す例において、発信機４０Ａ−１の発信ＩＤ「Ｂ３１」を発信ＩＤ「Ｂ３２」に変更した場合、発信機４０Ａ−１と発信機４０Ａ−２とは、発信ＩＤ「Ｂ３２」を発信する。この場合、携帯端末１０から発信ＩＤ「Ｂ３２」を受信したサーバ１００Ｂは、発信機４０Ａ−１に対応付けられた照明器具５１−３１と、発信機４０Ａ−２に対応付けられた照明器具５１−３２とを調光するように照明システム５０Ｂに指示する。このように、発信情報活用システム３においては、発信機４０Ａの発信する発信ＩＤをすることにより、各発信機４０Ａに対応付けられた複数の照明器具５１に対して一度に調光を指示することができる。
【０１８５】
［実施形態３の効果］
上述のように、実施形態３に係る発信情報活用システム３は、複数の発信機４０Ａと、携帯端末１０とを具備する。複数の発信機４０Ａは、各々に割り当てられた発信情報を発信する。また、携帯端末１０は、複数の発信機４０Ａから発信される発信情報を受信する。また、サーバ１００Ｂは、所定のシステムが管理する対象を識別する識別情報と発信情報とを関連付けることにより、携帯端末１０から発信情報を受信した場合、受信した発信情報に関連する識別情報により識別される対象に関する処理を、システムに指示する。
【０１８６】
これにより、発信情報活用システム３は、他のシステムと適切に関連付けることができる。
【０１８７】
また、実施形態３に係る発信情報活用システム３において、所定のシステムは、識別情報により識別される複数の照明器具５１を管理する照明システム５０Ｂである。また、サーバ１００Ｂは、携帯端末１０から発信情報を受信した場合、受信した発信情報に関連する識別情報により識別される照明器具５１の制御を照明システム５０Ｂに指示する。
【０１８８】
これにより、発信情報活用システム３においては、他のシステムである照明システム５０Ｂと適切に関連付けることができる。具体的には、発信情報活用システム３においては、照明システム５０Ｂと適切に関連付けることにより、照明システム５０Ｂの照明器具５１を制御することができる。
【０１８９】
また、実施形態３に係る発信情報活用システム３において、発信機４０Ａは、割り当てられた発信情報を変更する指示を受け付けた場合、発信情報を新たな発信情報に変更する。サーバ１００Ｂは、発信情報の各々を照明器具５１の制御方法と関連付けて管理し、携帯端末１０から新たな発信情報を受信した場合、新たな発信情報に関連付けられた照明器具５１の制御方法に基づいて、受信した新たな発信情報に関連する識別情報により識別される照明器具５１の制御を照明システム５０Ｂに指示する。
【０１９０】
これにより、発信情報活用システム３においては、発信機４０Ａの発信ＩＤを変更することにより、照明器具５１の制御を簡単に変更することができる。また、発信情報活用システム３においては、発信機４０Ａの発信する発信ＩＤをすることにより、各発信機４０Ａに対応付けられた複数の照明器具５１に対して一度に制御を指示することができる。なお、実施形態１，２に係る発信情報活用システム１，２において、発信ＩＤを変更可能な発信機４０Ａを用いてもよい。
【０１９１】
また、発信情報活用システム３において、サーバ１００Ｂは、照明システム５０Ｂの他にも所定のシステムが管理する対象を識別する識別情報と発信ＩＤとを関連付けてもよい。例えば、発信情報活用システム３は、照明システム５０Ｂに加えて、セキュリティシステムや、メンテナンスシステムを有する場合、サーバ１００Ｂは、各システムが管理する対象に発信ＩＤを対応付けてもよい。例えば、サーバ１００Ｂは、照明システム５０Ｂの照明器具５１に発信ＩＤ「Ｂ３１」や「Ｂ３２」を対応付け、セキュリティシステムの管理する対象、例えば警報機に発信ＩＤ「Ｂ３３」や「Ｂ３４」を対応付け、メンテナンスシステムの管理する対象に発信ＩＤ「Ｂ３５」や「Ｂ３６」を対応付けてもよい。この場合、発信情報活用システム３は、所定の発信機４０Ａが発信する発信ＩＤを日にちや時間帯に応じて、制御の対象としたいシステムに対応付けられた発信ＩＤに変更してもよい。具体的には、発信情報活用システム３は、所定の発信機４０Ａが発信する発信ＩＤを、営業時間は「Ｂ３１」や「Ｂ３２」に設定し、閉店後は「Ｂ３３」や「Ｂ３４」に変更し、店舗休日は「Ｂ３５」や「Ｂ３６」に変更してもよい。これにより、発信情報活用システム３においては、発信機４０Ａが発信する発信ＩＤを適宜変更することにより、制御の対象とするシステムを簡単に変更することができ、複数のシステムを容易に制御することが可能となる。
【０１９２】
［実施形態４］
実施形態１〜３に係る発信情報活用システム１〜３においては、照明システム５０，５０Ａ，５０Ｂの照明器具５１を制御する。一方、実施形態４に係る発信情報活用システム４においては、所定のシステムとして、識別情報により識別される複数のコンテンツを管理するコンテンツ配信システムを具備する点において実施形態１〜３と相違する。この点について、図２８〜図３４に基づいて説明する。なお、実施形態１〜３と同一部分には、同一符号を付して説明を省略する。図２８は、実施形態４に係る発信情報活用システムの概略構成を示す図である。図２８では、発信情報活用システム４を食料品店に適用し、発信ＩＤを変更することによりコンテンツであるクーポンの配信を行う場合を例示する。具体的には、図２８では、発信情報活用システム４を食料品店における野菜売り場に適用し、例えば時間など応じて、発信機４０Ａが発信する発信ＩＤを変更することにより、ユーザの携帯端末１０Ａへのクーポンの配信を行う場合を示す。なお、図２８に示す例においては、発信機４０Ａを天井に設置する場合を示すが、発信機４０Ａは、各々対応する野菜売り場の付近に設置してもよい。
【０１９３】
実施形態４に係る発信情報活用システム４は、複数の発信機４０Ａ−１１，４０Ａ−１２と、携帯端末１０Ａと、サーバ１００Ｃと、コンテンツ配信システムとを具備する。図２８〜図３４では、コンテンツ配信システムに含まれる配信装置３００をコンテンツ配信システムとして説明する。例えば、サーバ１００Ｃは、携帯端末１０や、発信機４０Ａや、配信装置３００と所定のネットワークを介して通信可能に接続されている。なお、サーバ１００Ｃは、発信ＩＤの各々をコンテンツを識別する情報であるコンテンツＩＤと関連付けて管理するが、詳細は後述する。
【０１９４】
携帯端末１０Ａは、例えば、発信機４０Ａから発信される情報を受信する。具体的には、携帯端末１０Ａは、発信機４０Ａから発信される発信ＩＤを受信する。また、携帯端末１０Ａは、発信機４０Ａから受信した発信ＩＤが所定の条件を満たす場合、受信した発信ＩＤをサーバ１００Ｃへ送信する。
【０１９５】
配信装置３００は、サーバ１００Ｃからの要求に応じて、携帯端末１０Ａにコンテンツを配信する情報処理装置である。例えば、配信装置３００は、サーバ１００Ｃから携帯端末１０Ａを識別する端末情報とコンテンツＩＤとを受信した場合、端末情報により識別される携帯端末１０ＡにコンテンツＩＤにより識別されるコンテンツを配信する。なお、携帯端末１０Ａを識別する端末情報としては、配信装置３００がコンテンツを配信する携帯端末１０Ａを特定でき、携帯端末１０Ａにコンテンツを配信することが可能であれば、どのような情報であってもよい。
【０１９６】
図２８の左側には、発信ＩＤを変更前の発信情報活用システム４を示す。発信ＩＤを変更前においては、発信機４０Ａ−１１が発信ＩＤ「Ｂ４５」を発信する。そして、携帯端末１０Ａは、発信機４０Ａ−１１から発信される発信ＩＤを受信する（図２８中の（１））。携帯端末１０Ａは、受信した発信ＩＤが所定の条件を満たす場合、受信した発信ＩＤをサーバ１００Ｃへ送信する。発信ＩＤを変更前の発信情報活用システム４においては、発信機４０Ａ−１１が発信する発信ＩＤ「Ｂ４５」が所定の条件を満たさない場合であり、携帯端末１０Ａは、受信した発信ＩＤをサーバ１００Ｃへ送信しない。なお、携帯端末１０Ａが受信した発信ＩＤをサーバ１００Ｃへ送信するかどうかの判定についての詳細は後述する。
【０１９７】
次に、図２８の右側に示す発信ＩＤを変更後の発信情報活用システム４を用いて、発信機４０Ａが発信する発信ＩＤを変更した場合について説明する。発信機４０Ａ−１１は、発信ＩＤを変更する指示を受け付けた場合、発信ＩＤを新たな発信ＩＤに変更する（図２８中の（２））。具体的には、発信機４０Ａ−１１は、発信ＩＤ「Ｂ４５」から発信ＩＤ「Ｂ４１」に変更する指示を受け付けた場合、発信ＩＤ「Ｂ４５」から発信ＩＤ「Ｂ４１」に変更する。なお、発信機４０Ａ−１１に対する発信ＩＤを変更する指示は、例えば、サーバ１００Ｃが行ってもよいし、発信機４０Ａ−１１自身が行ってもよい。図２８に示す例においては、サーバ１００Ｃは、トマトのタイムセールを開始する時間になった際に、発信機４０Ａ−１１に対して発信ＩＤを変更する指示を行ってもよい。例えば、サーバ１００Ｃは、所定の条件を満たさない発信ＩＤ「Ｂ４５」から所定の条件を満たす発信ＩＤ「Ｂ４１」に変更する。具体的には、サーバ１００Ｃは、携帯端末１０Ａが受信しても何も処理を行わない発信ＩＤ「Ｂ４５」から、携帯端末１０Ａが受信した場合サーバ１００Ｃへ送信する発信ＩＤ「Ｂ４１」に変更する。例えば、サーバ１００Ｃにおいて、発信ＩＤ「Ｂ４１」は、トマトに関するクーポンを識別するコンテンツＩＤと対応付けられる。
【０１９８】
その後、ユーザの携帯端末１０Ａは、発信機４０Ａ−１１が発信する発信ＩＤ「Ｂ４１」を受信する（図２８中の（３））。そして、携帯端末１０Ａは、受信した発信ＩＤが所定の条件を満たす場合、受信した発信ＩＤをサーバ１００Ｃへ送信する。発信ＩＤを変更後の発信情報活用システム４においては、発信機４０Ａ−１１が発信する発信ＩＤ「Ｂ４１」が所定の条件を満たす場合であり、携帯端末１０Ａは、受信した発信ＩＤを携帯端末１０Ａを識別する端末情報とともにサーバ１００Ｃへ送信する（図２８中の（４））。
【０１９９】
サーバ１００Ｃは、携帯端末１０Ａから発信ＩＤ「Ｂ４１」と携帯端末１０Ａを識別する端末情報を受信した場合、配信装置３００へ携帯端末１０Ａへのコンテンツの配信を要求する（図２８中の（５））。例えば、サーバ１００Ｃは、発信ＩＤ「Ｂ４１」に対応付けられたコンテンツＩＤを携帯端末１０Ａを識別する端末情報とともに配信装置３００へ送信する。サーバ１００Ｃからのコンテンツの配信の要求を受け付けた配信装置３００は、携帯端末１０Ａにサーバ１００Ｃの要求に基づくコンテンツであるクーポンを配信する（図２８中の（６））。これにより、発信情報活用システム４においては、発信機４０Ａの発信ＩＤを変更することにより、携帯端末１０Ａに応じてコンテンツの配信を行うかどうかを容易に変更することができる。
【０２００】
例えば、配信装置３００は、サーバ１００Ｃから受信したコンテンツＩＤに対応するコンテンツであるクーポンを、サーバ１００Ｃから受信した端末情報により識別される携帯端末１０Ａに配信する。図２８に示す例においては、配信装置３００は、携帯端末１０Ａを所有するユーザの付近に位置する野菜売り場のトマトに関するクーポンを携帯端末１０Ａに配信する。なお、発信情報活用システム４は、サーバ１００ＣがコンテンツＩＤを携帯端末１０Ａへ送信し、携帯端末１０ＡがコンテンツＩＤを配信装置３００へ送信することにより、携帯端末１０Ａへのコンテンツ配信を行ってもよい。
【０２０１】
なお、発信情報活用システム４は、識別情報により識別される複数の照明器具５１を有する照明システム５０と関連付けられてもよい。この場合、複数の照明器具５１が、発信機４０Ａ−１１及び発信機４０Ａ−１２の各々に対応する位置に設置される。配信装置３００からコンテンツが携帯端末１０Ａに配信された場合、サーバ１００Ｃは、携帯端末１０Ａから受信した発信ＩＤに対応する照明器具５１を制御する。配信装置３００からコンテンツが携帯端末１０Ａに配信された場合、サーバ１００Ｃは、例えば、携帯端末１０Ａから受信した発信ＩＤに対応する照明器具５１を点灯する。また、配信装置３００からコンテンツが携帯端末１０Ａに配信された場合、サーバ１００Ｃは、携帯端末１０Ａから受信した発信ＩＤに対応する位置を、例えば発信情報活用システム４が設置された範囲に設けられた電子看板（サイネージ）などに表示させてもよい。これにより、発信情報活用システム４は、コンテンツを受信した携帯端末１０Ａを所有するユーザ以外にも、コンテンツが配信されたことを通知することができる。
【０２０２】
次に、図２９を用いて、実施形態４に係るサーバ１００Ｃの構成について説明する。図２９は、実施形態４に係るサーバの構成を示すブロック図である。図２９に示すように、サーバ１００Ｃは、記憶部１２０Ｃにコンテンツ情報記憶部１２４を有する点において、サーバ１００と相違する。
【０２０３】
実施形態４に係る記憶部１２０Ｃは、図２９に示すように、発信機情報記憶部１２１Ｃとコンテンツ情報記憶部１２４とを有する。
【０２０４】
発信機情報記憶部１２１Ｃは、発信機４０Ａに関する情報を記憶する。図３０は、実施形態４に係る発信機情報記憶部に記憶される情報の一例を示す図である。具体的には、図３０は、発信機情報記憶部１２１Ｃに記憶される発信機４０Ａに関する情報の一例を示す。図３０に示すように、発信機情報記憶部１２１Ｃは、発信機４０Ａに関する情報として、「装置ＩＤ」、「発信ＩＤ」といった項目を有する。なお、図３に示す発信機情報記憶部１２１と同様の項目については、説明を省略する。図３０に示す例においては、装置ＩＤ「Ｍ４１」により識別される発信機４０Ａは、発信ＩＤ「Ｂ４５」を発信することを示し、装置ＩＤ「Ｍ４２」により識別される発信機４０Ａは、発信ＩＤ「Ｂ４２」を発信することを示す。図２８に示す例においては、発信機４０Ａ−１１が装置ＩＤ「Ｍ４１」により識別される発信機４０Ａに対応し、発信機４０Ａ−１２が装置ＩＤ「Ｍ４２」により識別される発信機４０Ａに対応する。
【０２０５】
コンテンツ情報記憶部１２４は、コンテンツ情報を記憶する。図３１は、実施形態４に係るコンテンツ情報記憶部に記憶される情報の一例を示す図である。図３１に示すように、コンテンツ情報記憶部１２４は、コンテンツ情報として、「発信ＩＤ」、「コンテンツＩＤ」といった項目を有する。
【０２０６】
「発信ＩＤ」は、コンテンツＩＤに関連付けられる発信ＩＤを示す。「コンテンツＩＤ」は、コンテンツを識別する識別情報を示す。
【０２０７】
図３１の例は、発信ＩＤ「Ｂ４１」には、コンテンツＩＤ「Ｃ４１」が関連付けられる。また、発信ＩＤ「Ｂ４５」には、コンテンツＩＤは関連付けられていない。なお、コンテンツ情報記憶部１２４は、コンテンツＩＤが関連付けられていない発信ＩＤについては、記憶しなくてもよい。
【０２０８】
ここで、発信機４０Ａの発信ＩＤの変更に伴う、発信機情報記憶部に記憶される情報の更新について説明する。図３２は、実施形態４に係る発信機情報記憶部に記憶される情報の一例を示す図である。図３２に示す発信機情報記憶部１２１Ｃ−１は、例えば、図２８中の（２）において発信機４０Ａ−１１の発信ＩＤ「Ｂ４５」が発信ＩＤ「Ｂ４１」に変更された場合の発信機情報記憶部を示す。なお、図３０に示す発信機情報記憶部１２１Ｃと同様の項目については、説明を省略する。図３２に示す例においては、装置ＩＤ「Ｍ４１」により識別される発信機４０Ａは、発信ＩＤ「Ｂ４１」を発信することを示す。なお、発信機４０Ａ−１１の記憶部４２に記憶される発信ＩＤ「Ｂ４５」も発信ＩＤ「Ｂ４１」に変更される。
【０２０９】
受信部１３１は、発信ＩＤや携帯端末１０Ａを識別する端末情報を受信する。抽出部１３２は、受信部１３１により受信した発信ＩＤに関連付けられたコンテンツＩＤをコンテンツ情報記憶部１２４から抽出する。送信部１３３は、受信した携帯端末１０Ａを識別する端末情報とともに抽出部１３２により抽出したコンテンツＩＤを配信装置３００へ返信する。
【０２１０】
続いて、図３３を用いて、携帯端末１０Ａの構成を説明する。図３３は、実施形態４に係る携帯端末の構成を示すブロック図である。図３３に示すように、携帯端末１０Ａは、制御部１５に判定部１８を有する点において、携帯端末１０と相違する。
【０２１１】
判定部１８は、受信部１６により受信した発信ＩＤが所定の条件を満たすかどうかを判定する。例えば、判定部１８は、記憶部１２に記憶された発信ＩＤと受信部１６により受信した発信ＩＤとが一致する場合、受信した発信ＩＤが所定の条件を満たすと判定する。また、例えば、判定部１８は、記憶部１２に記憶された発信ＩＤ及び受信時間の組合せと受信部１６により受信した発信ＩＤ及び受信時間とが対応する場合、受信した発信ＩＤが所定の条件を満たすと判定してもよい。また、例えば、判定部１８は、受信部１６により発信ＩＤを受信した場合、入力部１３によりユーザの指定を受け付け、受信した発信ＩＤに対応するコンテンツの取得をユーザが希望する場合、所定の条件を満たすと判定してもよい。また、判定部１８は、受信した発信ＩＤが所定の条件を満たす場合、送信部１７に発信ＩＤをサーバ１００Ｃへ送信するように指示する。
【０２１２】
また、送信部１７は、判定部１８からの指示に基づいて、発信ＩＤをサーバ１００Ｃへ送信する。受信部１６は、配信装置３００からコンテンツを受信する。出力部１４は、受信部１６により受信したコンテンツを表示する。
【０２１３】
なお、携帯端末１０Ａは、発信情報活用アプリケーションがインストールされたスマートフォンやタブレット端末等であってもよい。例えば、携帯端末１０Ａが、発信情報活用アプリケーションがインストールされたスマートフォンである場合、制御部１５や記憶部１２については、携帯端末１０Ａにインストールされた発信情報活用アプリケーションの機能であってもよい。
【０２１４】
なお、上記の例においては、携帯端末１０Ａが発信ＩＤをサーバ１００Ｃへ送信するかどうかを判定するが、携帯端末１０Ａは受信した発信ＩＤをサーバ１００Ｃへ送信し、サーバ１００Ｃが配信装置３００へ送信するかどうかを判定してもよい。この場合、携帯端末１０Ａは、判定部１８を有さなくてもよい。
【０２１５】
［発信情報活用システムによる処理］
次に、図３４を用いて、実施形態４に係る発信情報活用システム４による発信情報活用処理を説明する。図３４は、実施形態４に係る発信情報活用システムにおける発信情報活用処理の手順を示すシーケンス図である。
【０２１６】
図３４に示すように、携帯端末１０Ａは、発信機４０Ａから発信情報を受信する（ステップＳ４０１）。例えば、携帯端末１０Ａは、発信機４０Ａから発信ＩＤを受信する。そして、携帯端末１０は、発信機４０Ａから受信した発信ＩＤが所定の条件を満たすかを判定する（ステップＳ４０２）。例えば、携帯端末１０Ａは、発信機４０Ａから受信した発信ＩＤが携帯端末１０Ａに記憶されていない場合、所定の条件を満たさないと判定する。携帯端末１０Ａは、発信機４０Ａから受信した発信ＩＤが所定の条件を満たさないと判定した場合、処理を停止する。
【０２１７】
その後、発信機４０Ａは、発信情報を変更する（ステップＳ４０３）。例えば、発信機４０Ａは、サーバ１００Ｂから発信ＩＤの変更を受け付けた場合、発信情報を変更する。例えば、発信機４０Ａは、発信ＩＤ「Ｂ４５」から発信ＩＤ「Ｂ４１」に変更する指示を受け付けた場合、発信ＩＤ「Ｂ４５」から発信ＩＤ「Ｂ４１」に変更する。
【０２１８】
また、携帯端末１０Ａは、発信機４０Ａから発信情報を受信する（ステップＳ４０４）。例えば、携帯端末１０Ａは、発信機４０Ａから発信ＩＤを受信する。そして、携帯端末１０Ａは、発信機４０Ａから受信した発信ＩＤが所定の条件を満たすかを判定する（ステップＳ４０５）。例えば、携帯端末１０Ａは、発信機４０Ａから受信した発信ＩＤが携帯端末１０Ａに記憶されている場合、所定の条件を満たすと判定する。
【０２１９】
所定の条件を満たすと判定した場合、携帯端末１０Ａは、受信した発信情報を携帯端末１０Ａを識別する端末情報とともにサーバ１００Ｃへ送信する（ステップＳ４０６）。例えば、発信機４０Ａから発信ＩＤを受信した携帯端末１０Ａは、受信した発信ＩＤを携帯端末１０Ａを識別する端末情報とともにサーバ１００Ｃへ送信する。
【０２２０】
そして、サーバ１００Ｃは、発信情報と携帯端末１０Ａを識別する端末情報とを受信した場合、発信情報に関連するコンテンツＩＤを抽出する（ステップＳ４０７）。例えば、サーバ１００Ｃは、携帯端末１０Ａから発信ＩＤと携帯端末１０Ａを識別する端末情報とを受信した場合、受信した発信ＩＤに関連するコンテンツＩＤを抽出する。
【０２２１】
その後、サーバ１００Ｃは、抽出したコンテンツＩＤを携帯端末１０Ａを識別する端末情報とともに配信装置３００へ送信する（ステップＳ４０８）。そして、サーバ１００ＣからコンテンツＩＤと携帯端末１０Ａを識別する端末情報とを受信した配信装置３００は、サーバ１００Ｃからの指示の内容に基づいて、コンテンツを携帯端末１０Ａへ配信する（ステップＳ４０９）。例えば、配信装置３００は、受信した端末情報により識別される携帯端末１０Ａに、受信したコンテンツＩＤにより識別されるコンテンツを配信する。
【０２２２】
なお、発信情報活用システム４は、携帯端末１０Ａを所有するユーザの属性情報を用いてコンテンツ配信を行ってもよい。例えば、発信情報活用システム４は、携帯端末１０Ａを所有するユーザの性別に基づいて、コンテンツ配信を行ってもよい。この場合、サーバ１００Ｃは、携帯端末１０Ａを所有するユーザの性別を示す情報をコンテンツＩＤとともに配信装置３００へ送信してもよい。また、配信装置３００は、コンテンツＩＤとユーザの性別に基づいて、携帯端末１０Ａにコンテンツを配信してもよい。また、サーバ１００Ｃは、携帯端末１０Ａを所有するユーザの性別を示す情報を配信装置３００へ送信してもよい。この場合、配信装置３００は、ユーザの性別に基づいて、携帯端末１０Ａにコンテンツを配信してもよい。
【０２２３】
また、発信情報活用システム４は、所定のシステムとして、複数の照明器具５１を有する照明システム５０を具備してもよい。この場合、１つの発信機４０Ａに複数の照明器具５１を対応付け、発信機４０Ａが発信する発信ＩＤに応じて照明器具５１の調光を変更してもよい。例えば、サーバ１００Ｃは、発信ＩＤ毎にどの照明器具５１に対して調光を行うかの対応情報を管理する。そして、発信機４０Ａは、変更に応じて、対応する全ての照明器具５１の調光を指示する発信ＩＤ「Ｂ４６」を発信したり、対応する一部の照明器具５１の調光を指示する発信ＩＤ「Ｂ４７」を発信したり、照明器具５１の調光を指示しない発信ＩＤ「Ｂ４８」を発信したりする。これにより、発信情報活用システム４は、発信機４０Ａの発信ＩＤを変更することにより、複数の照明器具５１のうち、目的の照明器具５１に対して調光をすることが可能となる。
【０２２４】
［実施形態４の効果］
上述のように、実施形態４に係る発信情報活用システム４は、複数の発信機４０Ａと、携帯端末１０Ａとを具備する。複数の発信機４０Ａは、各々に割り当てられた発信情報を発信する。また、携帯端末１０Ａは、複数の発信機４０Ａから発信される発信情報を受信する。また、サーバ１００Ｃは、所定のシステムが管理する対象を識別する識別情報と発信情報とを関連付けることにより、携帯端末１０Ａから発信情報を受信した場合、受信した発信情報に関連する識別情報により識別される対象に関する処理を、システムに指示する。
【０２２５】
これにより、発信情報活用システム４は、他のシステムと適切に関連付けることができる。
【０２２６】
また、実施形態４に係る発信情報活用システム４において、所定のシステムは、識別情報により識別される複数のコンテンツを管理するコンテンツ配信システムである。また、携帯端末１０Ａは、発信機４０Ａから受信した発信情報が所定の条件を満たす場合、受信した発信情報と携帯端末１０Ａを識別する情報とをサーバ１００Ｃへ送信する。サーバ１００Ｃは、携帯端末１０Ａから発信機４０Ａの発信情報と携帯端末１０Ａを識別する情報とを受信した場合、受信した発信情報に関連する識別情報により識別されるコンテンツの配信をコンテンツ配信システムに指示する。
【０２２７】
これにより、発信情報活用システム４においては、他のシステムであるコンテンツ配信システムと適切に関連付けることができる。具体的には、発信情報活用システム４においては、コンテンツ配信システムと適切に関連付けることにより、コンテンツ配信システムからコンテンツを携帯端末１０Ａに適切に配信することができる。また、携帯端末１０Ａにおいて、発信機４０Ａの発信情報と携帯端末１０Ａを識別する情報とをサーバ１００Ｃへ送信するかどうかを判定することにより、携帯端末１０Ａから外部へ出力される情報を携帯端末１０Ａが管理することが可能となる。また、携帯端末１０Ａにおいて、情報をサーバ１００Ｃへ送信するかどうかを判定することにより、携帯端末１０Ａとサーバ１００Ｃとの間での通信量の増大を抑制することが可能となる。
【０２２８】
また、実施形態４に係る発信情報活用システム４において、発信機４０Ａは、割り当てられた発信情報を変更する指示を受け付けた場合、発信情報を新たな発信情報に変更する。携帯端末１０Ａは、発信機４０Ａから受信した新たな発信情報が所定の条件を満たす場合、新たな発信情報と携帯端末１０Ａを識別する情報とをサーバ１００Ｃへ送信する。サーバ１００Ｃは、携帯端末１０Ａから新たな発信情報と携帯端末１０Ａを識別する情報とを受信した場合、受信した新たな発信情報に関連する識別情報により識別されるコンテンツの配信をコンテンツ配信システムに指示する。
【０２２９】
これにより、発信情報活用システム４は、発信機４０Ａの発信ＩＤを変更することにより、コンテンツ配信システムからコンテンツを携帯端末１０Ａに適切に配信することができる。
【０２３０】
［変形例４−１］
また、発信機４０Ａは、複数の発信情報の各々を所定のタイミングで発信してもよい。図３５は、変形例４−１に係る発信機の記憶部に記憶される情報の一例を示す図である。
【０２３１】
図３５に示す例において、発信機４０Ａの記憶部４２Ａは、発信部４１により発信する発信情報として複数の発信ＩＤを記憶する。図３５に示すように、記憶部４２Ａは、「装置ＩＤ」、「発信ＩＤ」といった項目を有する。なお、図２６に示す発信機４０Ａの記憶部４２と同様の項目については、説明を省略する。
【０２３２】
図３５に示す例において、記憶部４２Ａには、３つの発信ＩＤ「Ｂ４１１」，「Ｂ４１２」，「Ｂ４１３」が記憶される。つまり、装置ＩＤ「Ｍ４１」により識別される発信機４０Ａは、３つの発信ＩＤ「Ｂ４１１」，「Ｂ４１２」，「Ｂ４１３」の各々を所定のタイミングで発信する。例えば、装置ＩＤ「Ｍ４１」により識別される発信機４０Ａは、発信ＩＤ「Ｂ４１１」，「Ｂ４１２」，「Ｂ４１３」の順序で、３つの発信ＩＤを５秒おきに繰り返し発信する。
【０２３３】
図３５に示すように発信機４０Ａが複数の発信情報を発信する場合において、発信ＩＤを受信した携帯端末１０Ａの処理例について、図３６を用いて説明する。図３６は、変形例４−１に係る携帯端末の発信ＩＤ受信時の処理の一例を示す図である。
【０２３４】
図３６中の処理一覧Ｔ１０には、携帯端末１０Ｂと携帯端末１０Ｃとの各々において、各受信ＩＤを受信した場合の処理を示す。例えば、携帯端末１０Ｂは、発信ＩＤ「Ｂ４１１」を受信した場合、何も処理を行わず、発信ＩＤ「Ｂ４１２」を受信した場合、発信ＩＤとユーザの性別を示す情報をサーバ１００Ｃへ送信する。また、携帯端末１０Ｂは、発信ＩＤ「Ｂ４１３」を受信した場合、発信ＩＤをサーバ１００Ｃへ送信する。また、例えば、携帯端末１０Ｃは、発信ＩＤ「Ｂ４１１」，「Ｂ４１３」を受信した場合、何も処理を行わず、発信ＩＤ「Ｂ４１２」を受信した場合、例えば携帯端末１０Ｃやインストールされた発信情報活用アプリケーション等の設定情報をサーバ１００Ｃへ送信する。ここのように、発信機４０Ａが複数の発信情報を発信することにより、１つの発信機４０Ａで携帯端末１０Ｂ，１０Ｃに応じて処理を異ならせることができる。
【０２３５】
また、携帯端末１０Ａ〜１０Ｃは、受信した発信情報が携帯端末を所有するユーザの属性情報に対応する発信情報である場合、発信情報と携帯端末１０Ａ〜１０Ｃを識別する情報とを前記サーバへ送信してもよい。例えば、発信ＩＤ「Ｂ４１３」にユーザ属性として性別「女性」が対応付けられている場合について、以下説明する。まず、携帯端末１０Ｂを所有するユーザが女性である場合、携帯端末１０Ｂは発信ＩＤ「Ｂ４１３」を受信した場合、受信した発信ＩＤをサーバ１００Ｃへ送信する。また、携帯端末１０Ｃを所有するユーザが男性である場合、携帯端末１０Ｃは発信ＩＤ「Ｂ４１３」を受信した場合、発信ＩＤを受信しても何も処理を行わない。このように、発信機４０Ａが複数の発信情報を発信することにより、１つの発信機４０Ａで携帯端末１０Ａ〜１０Ｃを所有するユーザの属性に応じて処理を異ならせることができる。なお、実施形態１〜３に係る発信情報活用システム１〜３において、複数の発信情報の各々を所定のタイミングで発信する発信機４０Ａを用いてもよい。
【０２３６】
［変形例４−１の効果］
上述のように、変形例４−１に係る発信情報活用システム４において、発信機４０Ａは、複数の発信情報が割り当てられ、複数の発信情報の各々を所定のタイミングで発信する。携帯端末１０Ａ〜１０Ｃは、発信機４０Ａから受信した発信情報が所定の条件を満たす場合、発信情報と携帯端末１０Ａ〜１０Ｃを識別する情報とをサーバ１００Ｃへ送信する。
【０２３７】
これにより、発信情報活用システム４は、発信機４０Ａが複数の発信情報の各々を所定のタイミングで発信することにより、１つの発信機４０Ａで携帯端末１０Ａ〜１０Ｃに応じて処理を異ならせることができる。
【０２３８】
［実施形態１〜４に係る携帯端末の分布に基づく表示及び通知］
実施形態１〜４に係る発信情報活用システム１〜４においては、複数の携帯端末１０，１０Ａから受信した発信ＩＤに基づいて、発信情報活用システム１〜４を設置した範囲における人の分布を表示させてもよい。なお、表示させる対象としては、ユーザの所有する携帯端末１０，１０Ａや発信情報活用システム１〜４が設置された範囲に設けられた電子看板（サイネージ）など、目的に応じて種々の表示対象を選択してもよい。以下では、ユーザの所有する携帯端末１０に発信情報活用システム１を設置した範囲における人の分布を表示する例を、図３７〜図３９に基づいて説明する。図３７は、実施形態１〜４に係る表示の一例を示す図である。また、図３８は、実施形態１〜４に係る照明器具による通知の一例を示す図である。図３９は、実施形態１〜４に係る表示の一例を示す図である。なお、図３７〜図３９では、発信情報活用システム１のサーバ１００が複数の携帯端末１０から発信ＩＤを取得し、サーバ１００が発信ＩＤに対応する発信機４０の設置位置から所定の範囲の分布を算出する例を示す。
【０２３９】
まず、図３７に示すように、携帯端末１０には、発信情報活用システム１が設置された範囲における人の分布が表示される。図３７は、例えば、図３８に示す発信情報活用システム１が設置された範囲Ａ４０を天井側から見た場合の各領域の示す情報である。例えば、図３７に示す例では、携帯端末１０には、発信情報活用システム１が設置された範囲Ａ４０を領域Ａ４０１〜Ａ４１２の１２の領域に分割した例を示す。また、発信情報活用システム１は、発信情報活用システム１が設置された範囲Ａ４０中の各領域Ａ４０１〜Ａ４１２を人の分布に基づいて、例えばヒートマップのように、人が多い領域を暖色系の色で表示し、人が少ない領域を寒色系の色で携帯端末１０に表示してもよい。
【０２４０】
ここで、図３７に示す例では、人の密集度が高い領域ほど濃い色で表示される。例えば、図３７に示す例では、領域Ａ４０５が最も人の密集度が高いことを示す。また、領域Ａ４０１や領域Ａ４０９が最も人の密集度が低いことを示す。このように、複数の携帯端末１０から受信した発信ＩＤに基づいて、発信情報活用システム１を設置した範囲における人の分布を表示することにより、ユーザは、携帯端末１０に表示された人の分布に基づいて人が密集している領域を避けることができる。なお、図３７に示す例は、発信情報活用システム１が設置された範囲における人の分布の表示の一例であって、目的に応じて種々の表示態様で発信情報活用システム１が設置された範囲における人の分布を表示してもよい。例えば、携帯端末１０には、発信情報活用システム１が設置された範囲における人の分布を棒グラフや円グラフなどのグラフとして表示してもよい。
【０２４１】
また、複数の携帯端末１０から受信した発信ＩＤに基づいて、発信情報活用システム１において、サーバ１００は、照明器具５１を制御してもよい。図３８は、例えば、発信情報活用システム１が設置された範囲Ａ４０を天井側から見た概要図である。例えば、図３８には、発信情報活用システム１が設置された範囲Ａ４０における照明器具５１の設置を示す。図３８に示す例では、１２の領域Ａ４０１〜Ａ４１２の各々に対応する１２個の照明器具５１−４０１〜５１−４１２が設置される。また、例えば、照明器具５１−４０１〜５１−４１２の各々に近接して１２個の発信機４０は設置される。なお、図３８に示す領域Ａ４０１〜Ａ４１２は、図３７に示す領域Ａ４０１〜Ａ４１２に対応する。
【０２４２】
サーバ１００は、携帯端末１０から受信した発信ＩＤに基づいて、受信した発信ＩＤの数が閾値未満であるエリア（領域）を所定の手段により通知してもよい。以下では、所定の手段として、照明器具５１を制御し、受信した発信ＩＤの数が閾値未満であるエリアを通知する場合を示す。図３７に示すように、１２の領域Ａ４０１〜Ａ４１２のうち、領域Ａ４０１と領域Ａ４０９との２つの領域が最も人の密集度が低い。そのため、サーバ１００は、最も人の密集度が低い領域Ａ４０１と領域Ａ４０９とに対応する照明器具５１を制御してもよい。具体的には、サーバ１００は、照明器具５１−４０１と照明器具５１−４０９とに光源の出力を高くするように指示してもよい。これにより、発信情報活用システム１が設置された範囲にいるユーザは、照明器具５１の出力が変化することにより、人が少ない領域を確認することができる。そのため、ユーザは人が密集している領域を避けることができる。
【０２４３】
なお、発信情報活用システム１は、所定の条件を満たす携帯端末１０から受信した発信ＩＤに基づいて、発信情報活用システム１が設置された範囲における人の分布を表示してもよい。例えば、発信情報活用システム１は、所定のユーザ属性を満たすユーザが所有する携帯端末１０から受信した発信ＩＤに基づいて、発信情報活用システム１が設置された範囲における人の分布を表示してもよい。この場合、携帯端末１０は、発信ＩＤとともに属性情報としてユーザの年齢を示す情報をサーバ１００へ送信する。図３９は、例えば、図３８に示す発信情報活用システム１が設置された範囲Ａ４０を天井側から見た場合の各領域の示す情報である。図３９は、例えば、５０代以上のユーザの所有する携帯端末１０から受信した発信ＩＤに基づいて、発信情報活用システム１が設置された範囲における人の分布を表示する例を示す。図３９に示す例は、５０代以上のユーザに限定する以外は、図３７に示す例と同じである。図３９に示すように、５０代以上のユーザに限定した場合、領域Ａ４１２が最も人の密集度が高いことを示す。このように、全ユーザを対象にした図３７と比較して、異なる人の分布を表示することができる。なお、図３９に示す例は一例であって、目的に応じて種々のユーザ属性に基づく人の分布を表示してもよい。例えば、発信情報活用システム１は、携帯端末１０が発信ＩＤとともに属性情報としてユーザの性別を示す情報をサーバ１００へ送信することにより、携帯端末１０に発信情報活用システム１が設置された範囲における男性の分布を表示させてもよい。
【０２４４】
［実施形態１〜４の効果］
サーバ１００，１００Ａ〜１００Ｃは、携帯端末１０，１０Ａから受信した発信情報に基づいて、複数の発信機４０，４０Ａが設置された範囲における人の分布に関する情報を表示させる。
【０２４５】
これにより、発信情報活用システム１が設置された範囲において、ユーザは、携帯端末１０に表示された人の分布に基づいて、人が密集している領域を避けることができる。
【０２４６】
携帯端末１０，１０Ａは、発信情報とともに携帯端末１０，１０Ａを所有するユーザの属性情報をサーバ１００，１００Ａ〜１００Ｃへ送信する。サーバ１００，１００Ａ〜１００Ｃは、携帯端末１０，１０Ａから受信した発信情報と携帯端末１０，１０Ａを所有するユーザの属性情報に基づいて、複数の発信機４０，４０Ａが設置された範囲における人の分布に関する情報を表示させる。
【０２４７】
これにより、発信情報活用システム１〜４が設置された範囲において、ユーザ属性に基づいた人の分布を表示することができる。
【０２４８】
サーバ１００，１００Ａ〜１００Ｃは、携帯端末１０，１０Ａから受信した発信情報に基づいて、受信した発信情報の数が閾値未満であるエリアを所定の手段により通知する。
【０２４９】
これにより、発信情報活用システム１〜４は、ユーザに対して人の分布に関する情報を通知することができる。例えば、発信情報活用システム１〜４において、人の分布に関する情報に基づいて、照明器具５１の出力を変化させることにより、ユーザは、人が少ない領域を確認することができる。そのため、ユーザは、人が密集している領域を避けることができる。
【０２５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【０２５１】
１，２，３，４  発信情報活用システム
１００，１００Ａ〜１００Ｃ  サーバ
１１０  通信部
１２０，１２０Ａ〜１２０Ｃ  記憶部
１２１，１２１Ａ〜１２１Ｃ  発信機情報記憶部
１２２  席情報記憶部
１２３  照明設定記憶部
１２４  コンテンツ情報記憶部
１３０  制御部
１３１  受信部
１３２  抽出部
１３３  送信部
１０，１０Ａ〜１０Ｃ  携帯端末
４０，４０Ａ  発信機
５０，５０Ａ，５０Ｂ  照明システム
５１  照明器具
２００  位置情報管理システム
３００  配信装置（コンテンツ配信システム）
【図１】
0006477042.tif 000002
【図２】
0006477042.tif 000003
【図３】
0006477042.tif 000004
【図４】
0006477042.tif 000005
【図５】
0006477042.tif 000006
【図６】
0006477042.tif 000007
【図７】
0006477042.tif 000008
【図８】
0006477042.tif 000009
【図９】
0006477042.tif 000010
【図１０】
0006477042.tif 000011
【図１１】
0006477042.tif 000012
【図１２】
0006477042.tif 000013
【図１３】
0006477042.tif 000014
【図１４】
0006477042.tif 000015
【図１５】
0006477042.tif 000016
【図１６】
0006477042.tif 000017
【図１７】
0006477042.tif 000018
【図１８】
0006477042.tif 000019
【図１９】
0006477042.tif 000020
【図２０】
0006477042.tif 000021
【図２１】
0006477042.tif 000022
【図２２】
0006477042.tif 000023
【図２３】
0006477042.tif 000024
【図２４】
0006477042.tif 000025
【図２５】
0006477042.tif 000026
【図２６】
0006477042.tif 000027
【図２７】
0006477042.tif 000028
【図２８】
0006477042.tif 000029
【図２９】
0006477042.tif 000030
【図３０】
0006477042.tif 000031
【図３１】
0006477042.tif 000032
【図３２】
0006477042.tif 000033
【図３３】
0006477042.tif 000034
【図３４】
0006477042.tif 000035
【図３５】
0006477042.tif 000036
【図３６】
0006477042.tif 000037
【図３７】
0006477042.tif 000038
【図３８】
0006477042.tif 000039
【図３９】
0006477042.tif 000040